(57)【要約】【課題】電子機器の操作性を向上させることができるようにする。【解決手段】設定データ管理サーバ１６と自動車１１に備え付けられたカメラ付ディジタル携帯電話機との間でネットワーク１５を介してユーザ認証を行い、ユーザであると認証された場合、カメラ付ディジタル携帯電話機に設定データ管理サーバ１６から設定データをダウンロードする。その後、カメラ付ディジタル携帯電話機と自動車１１の設定装置との間で、接続部を介してユーザ認証を行い、ユーザであると認証された場合、カメラ付ディジタル携帯電話機から設定装置に設定データを送信する。設定装置は、自動車１１の各部分の状態に関する設定データを更新する。これにより、自分の嗜好に合うように自動車１１の状態を設定、更新することができる。本発明は、例えば、自動車に適用できる。【選択図】      図１
2004280310.tif 000002
【特許請求の範囲】
【請求項１】
電子機器と、
前記電子機器とネットワークを介して接続される情報管理装置と
からなり、
前記電子機器は、
前記情報管理装置に識別情報を送信し、
前記情報管理装置から更新情報を受信し、
受信された前記更新情報に基づいて更新処理を行い、
前記情報管理装置は、
前記識別情報に基づいて認証処理を行い、
前記認証処理に基づいて前記更新情報を前記電子機器に送信する
ことを特徴とする情報管理システム。
【請求項２】
電子機器と、
前記電子機器とネットワークを介して接続される情報管理装置と
からなる情報管理システムの情報管理方法において、
前記電子機器は、
前記情報管理装置に識別情報を送信し、
前記情報管理装置から更新情報を受信し、
受信された前記更新情報に基づいて更新処理を行い、
前記情報管理装置は、
前記識別情報に基づいて認証処理を行い、
前記認証処理に基づいて前記更新情報を前記電子機器に送信する
ことを特徴とする情報管理方法。
【請求項３】
送受信部と設定部とを備え、情報管理装置とネットワークを介して接続される電子機器において、
前記送受信部は、
前記情報管理装置に識別情報を送信する第１の送信手段と、
前記情報管理装置から更新情報を受信する第１の受信手段と、
前記第１の受信手段により受信された前記更新情報を前記設定部に供給する第１の供給手段と
を備え、
前記設定部は、
前記第１の供給手段により供給された前記更新情報に基づいて更新処理を行う更新手段と
を備えることを特徴とする電子機器。
【請求項４】
前記送受信部は、
前記識別情報を前記設定部に供給する第２の供給手段
をさらに備え、
前記設定部は、
前記第２の供給手段により供給された前記識別情報を認証する認証手段
をさらに備え、
前記第１の供給手段は、前記認証手段により前記識別情報が正しいと認証されたとき、前記更新情報を前記設定部に供給する
ことを特徴とする請求項３に記載の電子機器。
【請求項５】
前記送受信部は、携帯電話端末またはＥＴＣ車載機である
ことを特徴とする請求項３に記載の電子機器。
【請求項６】
前記更新情報は、車両の状態に関する情報、または個人情報である
ことを特徴とする請求項３に記載の電子機器。
【請求項７】
送受信部と設定部とを備え、情報管理装置とネットワークを介して接続される電子機器の制御方法において、
前記送受信部は、
前記情報管理装置に識別情報を送信する第１の送信ステップと、
前記情報管理装置から更新情報を受信する受信ステップと、
前記受信手ステップの処理により受信された前記更新情報を前記設定部に供給する供給ステップと
を含み、
前記設定部は、
前記供給ステップの処理により供給された前記更新情報に基づいて更新処理を行う更新ステップと
を含むことを特徴とする制御方法。
【請求項８】
送受信部と設定部とを備え、情報管理装置とネットワークを介して接続される電子機器のプログラムであって、
前記送受信部は、
前記情報管理装置に識別情報を送信する第１の送信ステップと、
前記情報管理装置から更新情報を受信する受信ステップと、
前記受信手ステップの処理により受信された前記更新情報を前記設定部に供給する供給ステップと
を含み、
前記設定部は、
前記供給ステップの処理により供給された前記更新情報に基づいて更新処理を行う更新ステップと
をコンピュータに実行させることを特徴とするプログラム。
【請求項９】
情報記憶装置から更新情報を識別する識別情報を受信する第１の受信手段と、
前記第１の受信手段により受信された前記識別情報を認証する認証手段と、
前記認証手段により前記識別情報が正しいと認証されたとき、前記情報記憶装置から前記更新情報を受信する第２の受信手段と、
前記第２の受信手段により受信された前記更新情報に基づいて更新処理を行う更新手段と
を備えることを特徴とする電子機器。
【請求項１０】
前記情報記憶装置は、ＩＣカードである
ことを特徴とする請求項９に記載の電子機器。
【請求項１１】
前記更新情報は、車両の状態に関する情報、または個人情報である
ことを特徴とする請求項９に記載の電子機器。
【請求項１２】
電子機器の制御方法において、
情報記憶装置から更新情報を識別する識別情報を受信する第１の受信ステップと、
前記第１の受信ステップの処理により受信された前記識別情報を認証する認証ステップと、
前記認証ステップの処理により前記識別情報が正しいと認証されたとき、前記情報記憶装置から前記更新情報を受信する第２の受信ステップと、
前記第２の受信ステップの処理により受信された前記更新情報に基づいて更新処理を行う更新ステップと
を含むことを特徴とする制御方法。
【請求項１３】
電子機器のプログラムであって、
情報記憶装置から更新情報を識別する識別情報を受信する第１の受信ステップと、
前記第１の受信ステップの処理により受信された前記識別情報を認証する認証ステップと、
前記認証ステップの処理により前記識別情報が正しいと認証されたとき、前記情報記憶装置から前記更新情報を受信する第２の受信ステップと、
前記第２の受信ステップの処理により受信された前記更新情報に基づいて更新処理を行う更新ステップと
をコンピュータに実行させることを特徴とするプログラム。
【請求項１４】
電子機器とネットワークを介して接続される情報管理装置において、
更新情報を識別する第１の識別情報を前記電子機器から受信する第１の受信手段と、
前記第１の受信手段により受信された前記第１の識別情報を認証する第１の認証手段と、
前記第１の認証手段により前記第１の識別情報が正しいと認証されたとき、前記更新情報を前記電子機器に送信する第１の送信手段と
を備えることを特徴とする情報管理装置。
【請求項１５】
前記情報管理装置とネットワークを介して接続される情報処理装置に前記更新情報を入力するためのＧＵＩの画像データを送信する第２の送信手段をさらに備えることを特徴とする請求項１４に記載の情報管理装置。
【請求項１６】
前記情報処理装置を識別する第２の識別情報を前記情報処理装置から受信する第２の受信手段と、
前記第２の受信手段により受信された前記第２の識別情報を認証する第２の認証手段と
をさらに備え、
前記第２の送信手段は、前記第２の認証手段により前記第２の識別情報が正しいと認証されたとき、前記画像データを前記情報処理装置に送信する
ことを特徴とする請求項１５に記載の情報管理装置。
【請求項１７】
前記情報処理装置において入力された前記更新情報を受信する第２の受信手段と、
前記第２の受信手段により受信された前記更新情報を記憶する記憶手段と
をさらに備えることを特徴とする請求項１５に記載の情報管理装置。
【請求項１８】
前記第１の送信手段は、前記更新情報として、前記電子機器が装着されている自動車の状態を設定する設定情報、または、前記第１の識別情報に対応する個人情報を送信する
ことを特徴とする請求項１４に記載の情報管理装置。
【請求項１９】
電子機器とネットワークを介して接続される情報管理装置の情報管理方法において、
更新情報を識別する第１の識別情報を前記電子機器から受信する第１の受信ステップと、
前記第１の受信ステップの処理により受信された前記第１の識別情報を認証する第１の認証ステップと、
前記第１の認証ステップの処理により前記第１の識別情報が正しいと認証されたとき、前記更新情報を前記電子機器に送信する第１の送信ステップと
を含むことを特徴とする情報管理方法。
【請求項２０】
電子機器とネットワークを介して接続される情報管理装置のプログラムであって、
更新情報を識別する第１の識別情報を前記電子機器から受信する第１の受信ステップと、
前記第１の受信ステップの処理により受信された前記第１の識別情報を認証する第１の認証ステップと、
前記第１の認証ステップの処理により前記第１の識別情報が正しいと認証されたとき、前記更新情報を前記電子機器に送信する第１の送信ステップと
をコンピュータに実行させることを特徴とするプログラム。
【発明の詳細な説明】
【０００１】
【発明の属する技術分野】
本発明は情報管理システムおよび方法、電子機器および制御方法、プログラム、情報管理装置および方法、並びにプログラムに関し、特に、車両の状態を簡単に設定することができるようにした情報管理システムおよび方法、電子機器および制御方法、プログラム、情報管理装置および方法、並びにプログラムに関する。
【０００２】
【従来の技術】
近年のＩＴ技術の進歩に伴い、自動車には多種多様なコンピュータが組み込まれ、コンピュータにより各種の制御が行われるようになってきている。例えば、自動車に搭載されるカーナビゲーションシステムは、パーソナルコンピュータのように表示画面上にアイコンなどのユーザインタフェースを有するとともに、無線通信機能を有し、その中には、ユーザの操作により近くのレストラン情報などを取得し、表示画面上に表示することができるものもある。
【０００３】
また、カーナビゲーションシステムに関しては、通信回線を介して必要な地図情報のみを取得することで、記憶容量の増加を抑制する方法が提案されている（例えば、特許文献１）。
【０００４】
この提案では、所定の領域以外の地図情報を消去し、必要な地図情報のみを通信回線を介して受信して記憶することにより、記憶容量を増やさず効率よく地図情報を記憶することができる。
【０００５】
【特許文献１】
特開２００３−４４５６号公報
【０００６】
【発明が解決しようとする課題】
【０００７】
しかしながら、特許文献１に開示された技術では、複数のユーザが１つの自動車を共有する場合（例えば、４人家族などで１つの自動車を共有する場合）、地図情報やレストラン情報のような、各ユーザに共通の情報は提供できるが、個々のユーザが自動車を運転するのに必要な個別情報は提供できないという課題があった。
【０００８】
本発明は、このような状況に鑑みてなされたものであり、各ユーザ毎に必要な情報を提供できるようにし、もって操作性を向上させることができるようにすることを目的としている。
【０００９】
【課題を解決するための手段】
本発明の情報管理システムは、電子機器と、電子機器とネットワークを介して接続される情報管理装置とからなり、電子機器が、情報管理装置に識別情報を送信し、情報管理装置から更新情報を受信し、受信された更新情報に基づいて更新処理を行い、情報管理装置が、識別情報に基づいて認証処理を行い、認証処理に基づいて更新情報を電子機器に送信することを特徴とする。
【００１０】
本発明の情報管理方法は、電子機器と、電子機器とネットワークを介して接続される情報管理装置とからなる情報管理システムの情報管理方法において、電子機器が、情報管理装置に識別情報を送信し、情報管理装置から更新情報を受信し、受信された更新情報に基づいて更新処理を行い、情報管理装置は、識別情報に基づいて認証処理を行い、認証処理に基づいて更新情報を電子機器に送信することを特徴とする。
【００１１】
本発明の第１の電子機器は、送受信部と設定部とを備え、送受信部が、情報管理装置に識別情報を送信する第１の送信手段と、情報管理装置から更新情報を受信する第１の受信手段と、第１の受信手段により受信された更新情報を設定部に供給する第１の供給手段とを備え、設定部が、第１の供給手段により供給された更新情報に基づいて更新処理を行う更新手段とを備えることを特徴とする。
【００１２】
送受信部が、識別情報を設定部に供給する第２の供給手段をさらに備え、設定部が、第２の供給手段により供給された識別情報を認証する認証手段をさらに備え、第１の供給手段は、認証手段により識別情報が正しいと認証されたとき、更新情報を設定部に供給するようにすることができる。
【００１３】
送受信部は、携帯電話端末またはＥＴＣ車載機であるようにすることができる。
【００１４】
更新情報は、車両の状態に関する情報、または個人情報であるようにすることができる。
【００１５】
本発明の第１の制御方法は、送受信部が、情報管理装置に識別情報を送信する第１の送信ステップと、情報管理装置から更新情報を受信する受信ステップと、受信手ステップの処理により受信された更新情報を設定部に供給する供給ステップとを含み、設定部は、供給ステップの処理により供給された更新情報に基づいて更新処理を行う更新ステップとを含むことを特徴とする。
【００１６】
本発明の第１のプログラムは、送受信部は、情報管理装置に識別情報を送信する第１の送信ステップと、情報管理装置から更新情報を受信する受信ステップと、受信手ステップの処理により受信された更新情報を設定部に供給する供給ステップとを含み、設定部は、供給ステップの処理により供給された更新情報に基づいて更新処理を行う更新ステップとをコンピュータに実行させることを特徴とする。
【００１７】
本発明の第２の電子機器は、情報記憶装置から更新情報を識別する識別情報を受信する第１の受信手段と、第１の受信手段により受信された識別情報を認証する認証手段と、認証手段により識別情報が正しいと認証されたとき、情報記憶装置から更新情報を受信する第２の受信手段と、第２の受信手段により受信された更新情報に基づいて更新処理を行う更新手段とを備えることを特徴とする。
【００１８】
情報記憶装置は、ＩＣカードであるようにすることができる。
【００１９】
更新情報は、車両の状態に関する情報、または個人情報であるようにすることができる。
【００２０】
本発明の第２の制御方法は、情報記憶装置から更新情報を識別する識別情報を受信する第１の受信ステップと、第１の受信ステップの処理により受信された識別情報を認証する認証ステップと、認証ステップの処理により識別情報が正しいと認証されたとき、情報記憶装置から更新情報を受信する第２の受信ステップと、第２の受信ステップの処理により受信された更新情報に基づいて更新処理を行う更新ステップとを含むことを特徴とする。
【００２１】
本発明の第２のプログラムは、情報記憶装置から更新情報を識別する識別情報を受信する第１の受信ステップと、第１の受信ステップの処理により受信された識別情報を認証する認証ステップと、認証ステップの処理により識別情報が正しいと認証されたとき、情報記憶装置から更新情報を受信する第２の受信ステップと、第２の受信ステップの処理により受信された更新情報に基づいて更新処理を行う更新ステップとをコンピュータに実行させることを特徴とする。
【００２２】
本発明の情報管理装置は、更新情報を識別する第１の識別情報を電子機器から受信する第１の受信手段と、第１の受信手段により受信された第１の識別情報を認証する第１の認証手段と、第１の認証手段により第１の識別情報が正しいと認証されたとき、更新情報を電子機器に送信する第１の送信手段とを備えることを特徴とする。
【００２３】
この情報管理装置は、情報管理装置とネットワークを介して接続される情報処理装置に更新情報を入力するためのＧＵＩの画像データを送信する第２の送信手段をさらに備えるようにすることができる。
【００２４】
この情報管理装置は、情報処理装置を識別する第２の識別情報を情報処理装置から受信する第２の受信手段と、第２の受信手段により受信された第２の識別情報を認証する第２の認証手段とをさらに備え、第２の送信手段は、第２の認証手段により第２の識別情報が正しいと認証されたとき、画像データを情報処理装置に送信するようにすることができる。
【００２５】
この情報管理装置は、情報処理装置において入力された更新情報を受信する第２の受信手段と、第２の受信手段により受信された更新情報を記憶する記憶手段とをさらに備えるようにすることができる。
【００２６】
第１の送信手段は、更新情報として、電子機器が装着されている自動車の状態を設定する設定情報、または、第１の識別情報に対応する個人情報を送信するようにすることができる。
【００２７】
本発明の情報管理方法は、更新情報を識別する第１の識別情報を電子機器から受信する第１の受信ステップと、第１の受信ステップの処理により受信された第１の識別情報を認証する第１の認証ステップと、第１の認証ステップの処理により第１の識別情報が正しいと認証されたとき、更新情報を電子機器に送信する第１の送信ステップとを含むことを特徴とする。
【００２８】
本発明の第３のプログラムは、更新情報を識別する第１の識別情報を電子機器から受信する第１の受信ステップと、第１の受信ステップの処理により受信された第１の識別情報を認証する第１の認証ステップと、第１の認証ステップの処理により第１の識別情報が正しいと認証されたとき、更新情報を電子機器に送信する第１の送信ステップとをコンピュータに実行させることを特徴とする。
【００２９】
本発明の情報管理システムおよび方法においては、電子機器と、電子機器とネットワークを介して接続される情報管理装置とからなり、電子機器において、情報管理装置に識別情報が送信され、情報管理装置から更新情報が受信され、受信された更新情報に基づいて更新処理が行われ、情報管理装置において、識別情報に基づいて認証処理が行われ、認証処理に基づいて更新情報が電子機器に送信される。
【００３０】
本発明の第１の電子機器および制御方法、並びにプログラムにおいては、送受信部と設定部とが備えられ、送受信部において、情報管理装置に識別情報が送信され、情報管理装置から更新情報が受信され、受信された更新情報が設定部に供給され、設定部において、供給された更新情報に基づいて更新処理が行われる。
【００３１】
本発明の第２の電子機器および制御方法、並びにプログラムにおいては、情報記憶装置から更新情報を識別する識別情報が受信され、受信された識別情報が認証され、識別情報が正しいと認証されたとき、情報記憶装置から更新情報が受信され、受信された更新情報に基づいて更新処理が行われる。
【００３２】
本発明の情報管理装置および方法、並びにプログラムにおいては、更新情報を識別する第１の識別情報が電子機器から受信され、受信された第１の識別情報が認証され、第１の識別情報が正しいと認証されたとき、更新情報が電子機器に送信される。
【００３３】
【発明の実施の形態】
以下に、図面を参照しながら本発明の実施の形態について説明する。
【００３４】
図１は、本発明を適用した情報管理システムとしてのネットワークシステム１の全体の構成を表している。
【００３５】
ネットワークシステム１には、通信サービスの提供エリアを所望の大きさに分割したセル内にそれぞれ固定無線局である基地局１２−１乃至１２−４が設置されている。これらの基地局１２−１乃至１２−４には、自動車１１に備えられた移動無線局であるカメラ付ディジタル携帯電話機３１（図２を参照して後述する）が例えばＷ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）と呼ばれる符号分割多元接続方式によって無線接続されており、２［ＧＨｚ］の周波数帯域を使用して最大２［Ｍｂｐｓ］のデータ転送速度で大容量データを高速にデータ通信することができる。
【００３６】
このようにカメラ付ディジタル携帯電話機３１は、Ｗ−ＣＤＭＡ方式によって大容量データを高速にデータ通信できることにより、音声通話だけでなく電子メールの送受信、簡易ホームページの閲覧、画像の送受信等の多種に及ぶデータ通信を実行できる。
【００３７】
また基地局１２−１乃至１２−４は、有線回線を介して公衆回線網１３に接続されており、公衆回線網１３には、インターネットサービスプロバイダのアクセスサーバ１４が接続されている。アクセスサーバ１４には、ネットワーク１５（例えば、インターネット、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）その他の各種のネットワークを含む）を介して設定データ管理サーバ１６が接続されている。また、アクセスサーバ１４には、ネットワーク１５を介してパーソナルコンピュータ１７が接続されている。
【００３８】
なお、基地局１２−１乃至１２−４は、以下において、それぞれを個々に区別する必要がない場合、基地局１２と総称する。
【００３９】
図２は、自動車１１の後部座席側から見た内部の構成を表している。図２に示されるように、図中、右側には自動車１１の車輪を操作するハンドル４１が設けられており、中央部には種々の機器が備え付けられた操作部５１が設けられている。操作部５１の中央には、設定装置１０１（図４を参照して後述する）の液晶ディスプレイ５２が設けられており、液晶ディスプレイ５２には設定装置１０１における種々の処理が表示される。
【００４０】
液晶ディスプレイ５２の下には、操作入出力部５３が設けられており、ユーザは、操作入出力部５３を操作することにより設定装置１０１に種々の処理を実行させることができる。操作入出力部５３の下には、自動車１１のギアをチェンジするとき操作されるレバー５４が設けられており、ユーザは、レバー５４を操作することにより自動車１１を前進させたり、後退させたりすることができる。操作部５１の左側には、カメラ付ディジタル携帯電話機３１を装着するホルダ５６が設けられており、カメラ付ディジタル携帯電話機３１は、ホルダ５６に備え付けられた図示せぬ接続部を介して設定装置１０１と電気的に接続される。
【００４１】
図３は、図１の自動車１１の状態を制御する部分の機能的な構成の概略を表している。
【００４２】
自動車１１は、設定装置１０１、サスペンション制御部１０２、サスペンション１０３、クラクション制御部１０４、クラクション１０５、空調装置制御部１０６、および空調装置１０７により構成されている。
【００４３】
設定装置１０１は、カメラ付ディジタル携帯電話機３１より受信した自動車１１の各部（図３の例の場合、サスペンション１０３、クラクション１０５、および空調装置１０７）の状態を設定する設定データ（以下、単に「設定データ」という）に基づいて種々の制御信号を生成し、サスペンション制御部１０２、クラクション制御部１０４、および空調装置制御部１０６に供給する。サスペンション制御部１０２は、設定装置１０１から供給された制御信号に基づいてサスペンション１０３を制御する。また、クラクション制御部１０４は、設定装置１０１から供給された制御信号に基づいてクラクション１０５を制御し、空調制御部１４は、設定装置１０１から供給された制御信号に基づいて空調装置１０７を制御する。
【００４４】
サスペンション１０３は、サスペンション制御部１０２からの制御に基づいて、サスペンション１０３の内部のバネ定数や減衰特性などの設定を更新する。クラクション１０５は、クラクション制御部１０４からの制御に基づいて、クラクション１０５の音の種類や音量などの設定を更新する。空調装置１０７は、空調装置制御部１０６からの制御に基づいて、空調装置１０７の温度や湿度などの設定を更新する。
【００４５】
図４は、図３の設定装置１０１の内部の構成を表している。
【００４６】
設定装置１０１は、液晶ディスプレイ５２、操作入出力部５３、送受信部１３１、制御部１３２、認証部１３３、記憶部１３４、およびＬＣＤ（Ｌｉｑｕｉｄ  Ｃｒｙｓｔａｌ  Ｄｉｓｐｌａｙ）制御部１３５により構成され、それらはバス１３６により相互に接続されている。
【００４７】
操作入出力部５３は、ユーザによる操作に基づく種々の信号を生成し、バス１３６を介して制御部１３２に供給する。
【００４８】
送受信部１３１は、カメラ付ディジタル携帯電話機３１と通信し、設定データや種々の制御信号を受信し、バス１３６を介して設定装置１０１の各部に供給する。制御部１３２は、設定装置１０１の各部を制御する種々の制御信号を生成し、バス１３６を介して設定装置１０１の各部を制御するとともに、自動車１１の各部（図２の例の場合、サスペンション制御部１０２、クラクション制御部１０４、および空調装置制御部１０６）に制御信号を供給する。
【００４９】
記憶部１３４は、設定データやユーザが所有するカメラ付ディジタル携帯電話機３１の電話番号を記憶し、必要に応じて設定装置１０１の各部にバス１３６を介して供給する。認証部１３３は、記憶部１３４に記憶されるカメラ付ディジタル携帯電話機３１の電話番号（すなわち、ユーザが所有するカメラ付ディジタル携帯電話機３１の電話番号）を参照して、送受信部１３１から供給された制御信号に含まれるカメラ付ディジタル携帯電話機３１の電話番号が一致する否かを認証し、認証結果を制御部１３２に供給する。
【００５０】
ＬＣＤ制御部１３５は、制御部１３２からの指示に基づいて、液晶ディスプレイ５２を制御する。液晶ディスプレイ５２は、ＬＣＤ制御部１３５からの指示に基づいて、種々の情報を表示する。
【００５１】
図５は、本発明を適用したカメラ付ディジタル携帯電話機３１の外観の構成を表している。
【００５２】
図５に示されるように、カメラ付ディジタル携帯電話機３１は、中央のヒンジ部２１１を境に表示部２１２と本体２１３とに分けられており、ヒンジ部２１１を介して折り畳み可能に形成されている。表示部２１２には、上端左部に送受信用のアンテナ２１４が引出し及び収納可能な状態に取り付けられており、アンテナ２１４を介して基地局１２との間で電波を送受信する。
【００５３】
また表示部２１２には、上端中央部にほぼ１８０度の角度範囲で回動自在なカメラ部２１５が設けられており、カメラ部２１５のＣＣＤカメラ２１６によって所望の撮像対象を撮像することができる。ここで表示部２１２は、カメラ部２１５がユーザによってほぼ１８０度回動されて位置決めされた場合、図６に示されるように、カメラ部２１５の背面側中央に設けられたスピーカ２１７が正面側に位置することになり、これにより通常の音声通話状態に切り換わる。
【００５４】
さらに表示部２１２には、その正面に液晶ディスプレイ２１８が設けられており、電波の受信状態、電池残量、電話帳として登録されている相手先名や電話番号及び送信履歴等の他、電子メールの内容、簡易ホームページ、カメラ部２１５のＣＣＤカメラ２１６で撮像した画像を表示することができる。
【００５５】
一方、本体２１３には、その表面に「０」乃至「９」の数字キー、発呼キー、リダイヤルキー、終話及び電源キー、クリアキー、および電子メールキー等の操作キー２１９が設けられており、操作キー２１９を用いて各種指示を入力することができる。また本体２１３には、操作キー２１９の下部にメモボタン２２０やマイクロフォン２２１が設けられており、メモボタン２２０によって通話中の相手の音声を録音することができるとともに、マイクロフォン２２１によって通話時のユーザの音声を集音する。
【００５６】
さらに本体２１３には、操作キー２１９の上部に回動自在なジョグダイヤル２２２が本体２１３の表面から僅かに突出した状態で設けられており、ジョグダイヤル２２２に対する回動操作に応じて液晶ディスプレイ２１８に表示されている電話帳リストや電子メールのスクロール動作、簡易ホームページのページ捲り動作及び画像の送り動作等の種々の動作を実行する。
【００５７】
例えば本体２１３は、ユーザによるジョグダイヤル２２２の回動操作に応じて液晶ディスプレイ２１８に表示された電話帳リストの複数の電話番号の中から所望の電話番号が選択され、ジョグダイヤル２２２が本体２１３の内部方向に押圧されると、選択された電話番号を確定して電話番号に対して発呼処理を行う。
【００５８】
なお本体２１３は、背面側に図示しないバッテリパックが挿着されており、終話及び電源キーがオン状態になると、バッテリパックから各回路部に対して電力が供給されて動作可能な状態に起動する。
【００５９】
ところで本体２１３には、本体２１３の左側面上部に抜差自在なメモリスティック（出願人会社の商標）２２３を挿着するためのメモリスティックスロット２２４が設けられており、メモボタン２２０が押下されるとメモリスティック２２３に通話中の相手の音声を記録したり、ユーザの操作に応じて電子メール、簡易ホームページ、ＣＣＤカメラ２１６で撮像した画像を記録することができる。
【００６０】
ここでメモリスティック２２３は、本願出願人であるソニー株式会社によって開発されたフラッシュメモリカードの一種である。このメモリスティック２２３は、縦２１．５×横５０×厚さ２．８［ｍｍ］の小型薄型形状のプラスチックケース内に電気的に書換えや消去が可能な不揮発性メモリであるＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）の一種であるフラッシュメモリ素子を格納したものであり、１０ピン端子を介して画像や音声、音楽等の各種データの書き込み及び読み出しが可能となっている。
【００６１】
またメモリスティック２２３は、大容量化等による内蔵フラッシュメモリの仕様変更に対しても、使用する機器で互換性を確保することができる独自のシリアルプロトコルを採用し、最大書込速度１．５［ＭＢ／Ｓ］、最大読出速度２．４５［ＭＢ／Ｓ］の高速性能を実現していると共に、誤消去防止スイッチを設けて高い信頼性を確保している。
【００６２】
従ってカメラ付ディジタル携帯電話機３１は、このようなメモリスティック２２３を挿着可能に構成されているために、メモリスティック２２３を介して他の電子機器との間でデータの共有化を図ることができる。
【００６３】
図７は、カメラ付ディジタル携帯電話機３１の構成を表している。
【００６４】
図７に示されるように、カメラ付ディジタル携帯電話機３１は、表示部２１２及び本体２１３の各部を統括的に制御する主制御部２５０に対して、電源回路部２５１、操作入力制御部２５２、画像エンコーダ２５３、カメラインタフェース部２５４、ＬＣＤ制御部２５５、多重分離部２５７、変復調回路部２５８、音声コーデック２５９、および記憶部２６４がメインバス２６０を介して互いに接続されるとともに、画像エンコーダ２５３、画像デコーダ２５６、多重分離部２５７、変復調回路部２５８、音声コーデック２５９、および記録再生部２６３が同期バス２６１を介して互いに接続されて構成されている。
【００６５】
電源回路部２５１は、ユーザの操作により終話及び電源キーがオン状態にされると、バッテリパックから各部に対して電力を供給することによりカメラ付ディジタル携帯電話機３１を動作可能な状態に起動する。
【００６６】
カメラ付ディジタル携帯電話機３１は、ＣＰＵ、ＲＯＭ、およびＲＡＭ等でなる主制御部２５０の制御に基づいて、音声通話モード時にマイクロフォン２２１で集音した音声信号を音声コーデック２５９によってディジタル音声信号に変換、圧縮し、これを変復調回路部２５８でスペクトラム拡散処理し、送受信回路部２６２でディジタルアナログ変換処理及び周波数変換処理を施した後にアンテナ２１４を介して送信する。
【００６７】
またカメラ付ディジタル携帯電話機３１は、音声通話モード時にアンテナ２１４で受信した受信信号を増幅して周波数変換処理及びアナログディジタル変換処理を施し、変復調回路部２５８でスペクトラム逆拡散処理し、音声コーデック２５９によって伸張し、アナログ音声信号に変換した後、これをスピーカ２１７を介して出力する。
【００６８】
さらにカメラ付ディジタル携帯電話機３１は、データ通信モード時に電子メールを送信する場合、操作キー２１９及びジョグダイヤル２２２の操作によって入力された電子メールのテキストデータを操作入力制御部２５２を介して主制御部２５０に送出する。主制御部２５０は、テキストデータを変復調回路部２５８でスペクトラム拡散処理し、送受信回路部２６２でディジタルアナログ変換処理及び周波数変換処理を施した後にアンテナ２１４を介して基地局１２へ送信する。
【００６９】
これに対してカメラ付ディジタル携帯電話機３１は、データ通信モード時に電子メールを受信する場合、アンテナ２１４を介して基地局１２から受信した受信信号を変復調回路部２５８でスペクトラム逆拡散処理して元のテキストデータを復元した後、ＬＣＤ制御部２５５を介して液晶ディスプレイ２１８に電子メールとして表示する。
【００７０】
その後カメラ付ディジタル携帯電話機３１は、ユーザの操作に応じて受信した電子メールを記録再生部２６３を介してメモリスティック２２３に記録することも可能である。
【００７１】
カメラ付ディジタル携帯電話機３１は、画像信号を送信しない場合には、ＣＣＤカメラ２１６で撮像した画像信号をカメラインタフェース部２５４及びＬＣＤ制御部２５５を介して液晶ディスプレイ２１８に直接表示する。
【００７２】
カメラ付ディジタル携帯電話機３１は、データ通信モード時に画像信号を送信する場合、ＣＣＤカメラ２１６で撮像された画像信号をカメラインタフェース部２５４を介して画像エンコーダ２５３に供給する。
【００７３】
画像エンコーダ２５３は、ＣＣＤカメラ２１６から供給された画像信号を、例えばＭＰＥＧ（Ｍｏｖｉｎｇ  Ｐｉｃｔｕｒｅ  Ｅｘｐｅｒｔｓ  Ｇｒｏｕｐ）２やＭＰＥＧ４等の所定の符号化方式によって圧縮符号化することにより符号化画像信号に変換し、これを多重分離部２５７に送出する。このとき同時にカメラ付ディジタル携帯電話機３１は、ＣＣＤカメラ２１６で撮像中にマイクロフォン２２１で集音した音声を音声コーデック２５９を介してディジタルの音声信号として多重分離部２５７に送出する。
【００７４】
多重分離部２５７は、画像エンコーダ２５３から供給された符号化画像信号と音声コーデック２５９から供給された音声信号とを所定の方式で多重化し、その結果得られる多重化信号を変復調回路部２５８でスペクトラム拡散処理し、送受信回路部２６２でディジタルアナログ変換処理及び周波数変換処理を施した後にアンテナ２１４を介して送信する。
【００７５】
これに対してカメラ付ディジタル携帯電話機３１は、データ通信モード時に例えば簡易ホームページ等にリンクされた動画像ファイルのデータを受信する場合、アンテナ２１４を介して基地局１２から受信した受信信号を変復調回路部２５８でスペクトラム逆拡散処理し、その結果得られる多重化信号を多重分離部２５７に送出する。
【００７６】
多重分離部２５７は、多重化信号を分離することにより符号化画像信号と音声信号とに分け、同期バス２６１を介して符号化画像信号を画像デコーダ２５６に供給すると共に音声信号を音声コーデック２５９に供給する。画像デコーダ２５６は、符号化画像信号をＭＰＥＧ２やＭＰＥＧ４等の所定の符号化方式に対応した復号化方式でデコードすることにより再生動画像信号を生成し、これをＬＣＤ制御部２５５を介して液晶ディスプレイ２１８に供給し、これにより、例えば、簡易ホームページにリンクされた動画像ファイルに含まれる動画データが表示される。
【００７７】
このとき同時に音声コーデック２５９は、音声信号をアナログ音声信号に変換した後、これをスピーカ２１７に供給し、これにより、例えば、簡易ホームページにリンクされた動画像ファイルに含まる音声信号が再生される。この場合も電子メールの場合と同様にカメラ付ディジタル携帯電話機３１は、受信した簡易ホームページ等にリンクされたデータをユーザの操作により記録再生部２６３を介してメモリスティック２２３に記録することが可能である。
【００７８】
記憶部２６４は、ネットワーク１５を介して送受信回路部２６２に受信された設定データやカメラ付ディジタル携帯電話機３１の電話番号が記憶されており、必要に応じてバス２６０を介してカメラ付ディジタル携帯電話機３１の各部に供給される。
【００７９】
図８は、図１の設定データ管理サーバ１６の内部の構成を表している。
【００８０】
設定データ管理サーバ１６は、送受信部３０１、制御部３０２、記憶部３０３、およびデータベース３０４により構成されている。
【００８１】
送受信部３０１は、ネットワーク１５を介してカメラ付ディジタル携帯電話機３１と通信し、受信したカメラ付ディジタル携帯電話機３１の電話番号のデータが含まれた制御信号などを制御部３０２に供給するとともに、制御部３０２から供給された設定データなどをカメラ付ディジタル携帯電話機３１に送信する。また、送受信部３０１は、ネットワーク１５を介してパーソナルコンピュータ１７と通信し、制御部３０２から供給された設定データを入力するためのＧＵＩ（Ｇｒａｐｈｉｃａｌ  Ｕｓｅｒ  Ｉｎｔｅｒｆａｃｅ）を表示する設定データ作成用画像データ（以下、単に「設定データ作成用用画像データ」という）をパーソナルコンピュータ１７を送信し、パーソナルコンピュータ１７から作成された設定データを受信し、制御部３０２に供給する。
【００８２】
制御部３０２は、データベース３０４に登録されているカメラ付ディジタル携帯電話機３１の電話番号（すなわち、データベース３０４に登録されているユーザが所有するカメラ付ディジタル携帯電話機３１の電話番号）と、送受信部３０１から供給された制御信号に含まれるカメラ付ディジタル携帯電話機３１の電話番号が一致するか否かを認証する。制御信号に含まれるカメラ付ディジタル携帯電話機３１の電話番号が登録されている電話番号と一致すると認証された場合、制御部３０２は、データベース３０４に登録されている設定データを読み出し、送受信部３０１に供給する。
【００８３】
制御信号に含まれるカメラ付ディジタル携帯電話機３１の電話番号が一致すると認証されなかった場合（登録されている電話番号と一致しなかった場合）、制御部３０２は、カメラ付ディジタル携帯電話機３１の電話番号が一致しないことを表す制御信号を生成し、送受信部３０１に供給する。
【００８４】
記憶部３０３は、設定データ作成用画像データを記憶し、必要に応じて制御部３０２に供給する。データベース３０４は、設定データとユーザが所有するカメラ付ディジタル携帯電話機３１の電話番号などを対応付けて登録しており、制御部３０２からの指示に基づいて、適宜、設定データを制御部３０２に供給する。
【００８５】
図９は、図１のパーソナルコンピュータ１７の内部の構成を表している。
【００８６】
図９において、ＣＰＵ（Ｃｅｎｔｒａｌ  Ｐｒｏｃｅｓｓｉｎｇ  Ｕｎｉｔ）３５１は、ＲＯＭ（Ｒｅａｄ  Ａｃｃｅｓｓ  Ｍｅｍｏｒｙ）３５２に記憶されているプログラム、または記憶部３５８からＲＡＭ（Ｒａｎｄｏｍ  Ａｃｃｅｓｓ  Ｍｅｍｏｒｙ）３５３にロードされたプログラムに従って各種の処理を実行する。ＲＡＭ３５３にはまた、ＣＰＵ３５１が各種の処理を実行する上において必要なデータなども適宜記憶される。
【００８７】
ＣＰＵ３５１、ＲＯＭ３５２、およびＲＡＭ３５３は、バス３５４を介して相互に接続されている。このバス３５４にはまた、入出力インタフェース３５５も接続されている。
【００８８】
入出力インタフェース３５５には、キーボード、マウスなどよりなる入力部３５６、ＣＲＴ、ＬＣＤなどよりなるディスプレイ、並びにスピーカなどよりなる出力部３５７、ハードディスクなどより構成される記憶部３５８、モデム、ターミナルアダプタなどより構成される通信部３５９が接続されている。通信部３５９は、インターネットを含むネットワーク１５を介しての通信処理を行う。
【００８９】
入出力インタフェース３５５にはまた、必要に応じてドライブ３６０が接続され、磁気ディスク３７１、光ディスク３７２、光磁気ディスク３７３、或いは半導体メモリ３７４などが適宜装着され、それらから読み出されたコンピュータプログラムが、必要に応じて記憶部３５８にインストールされる。
【００９０】
設定データにより自動車１１の各部の設定の更新を行う場合、ユーザは、まず、図１の設定データ管理サーバ１６に接続し、入会、その他の手続を行った後、例えば、ユーザが所有する図１のパーソナルコンピュータ１７を用いて任意の設定データを作成する。
【００９１】
次に、図１０を参照して、パーソナルコンピュータ１７における設定データ作成処理と、その処理に対応する、設定データ管理サーバ１６における設定データ受理処理の概略について説明する。
【００９２】
なお、各装置毎の処理の詳細については、図１１と図１７を参照して後述する。この図１０の処理は、ユーザが設定データ作成処理を指示したときに開始される。
【００９３】
ステップＳ１において、パーソナルコンピュータ１７は、認証開始メッセージ（図１２を参照して後述する）を表示する。ユーザは、表示された認証開始メッセージに基づいて認証開始を指示するとともに、設定データ管理サーバ１６へのアクセスをユーザに許可する認証記号であるパスワード（図１３を参照して後述する）を入力する。ステップＳ２において、パーソナルコンピュータ１７は、ユーザの指示に基づいて、パスワードのデータが含まれている認証開始制御信号（パーソナルコンピュータ１７と設定データ管理サーバ１６の間におけるユーザ認証の開始を示す制御信号）を生成し、ネットワーク１５を介して設定データ管理サーバ１６に接続し、送信する。
【００９４】
ステップＳ３１において認証開始制御信号を受信した設定データ管理サーバ１６は、ステップＳ３２で、認証開始制御信号に含まれるパスワードがデータベース３０４に登録されているユーザのパスワード（図２０を参照して後述する）と一致する（登録されている）か否かを認証する。認証開始制御信号に含まれるパスワードが登録されていると認証された場合、設定データ管理サーバ１６はステップＳ３３で、設定データ作成可能制御信号（設定データの作成が可能であることを示す制御信号）を生成し、ネットワーク１５を介してパーソナルコンピュータ１７に送信する。
【００９５】
ステップＳ３において設定データ作成可能制御信号を受信したパーソナルコンピュータ１７は、ステップＳ４で設定データ作成開始メッセージ（図１４を参照して後述する）を表示する。ユーザは、表示された設定データ作成開始メッセージに基づいて設定データ作成開始を指示する。ステップＳ５において、パーソナルコンピュータ１７は、設定データ作成開始制御信号（設定データの作成の開始を示す制御信号）を生成し、ネットワーク１５を介して設定データ管理サーバ１６に送信する。
【００９６】
ステップＳ３４において設定データ作成開始制御信号を受信した設定データ管理サーバ１６は、ステップＳ３５で、設定データ作成のためのＧＵＩ用の設定データ作成用画像データを読み出す。ステップＳ３６において、設定データ管理サーバ１６は、読み出された設定データ作成用画像データをネットワーク１５を介してパーソナルコンピュータ１７に送信する。
【００９７】
ステップＳ６において設定データ作成用画像データを受信したパーソナルコンピュータ１７はステップＳ７で、受信した設定データ作成用画像データに基づいて、設定データ作成（入力）のためのＧＵＩ（図１５を参照して後述する）を表示する。ユーザは、表示されたＧＵＩに基づいて、設定データの入力をする。ステップＳ８において、パーソナルコンピュータ１７は、ユーザにより入力された設定データを取得し、ネットワーク１５を介して設定データ管理サーバ１６に送信する。
【００９８】
ステップＳ３７において設定データを受信した設定データ管理サーバ１６は、ステップＳ３８において、受信した設定データを登録する（すでに設定データが登録されている場合には、その設定データを更新する）とともに、設定データ受理制御信号（設定データ管理サーバ１６における設定データの受理を示す制御信号）を生成し、ネットワーク１５を介してパーソナルコンピュータ１７に送信する。
【００９９】
ステップＳ１０において設定データ受理制御信号を受信したパーソナルコンピュータ１７は、設定データ受理メッセージ（図１７を参照して後述する）を表示する。
【０１００】
このようにして、パーソナルコンピュータ１７は設定データを作成し、設定データ管理サーバ１６は作成された設定データを受理、登録する。
【０１０１】
次に、図１１のフローチャートを参照して、図１のパーソナルコンピュータ１７における設定データ作成処理（図１０のステップＳ１乃至Ｓ１０の処理）の詳細について説明する。なお、この処理は、ユーザが設定データの作成を指示したときに開始される。
【０１０２】
ステップＳ７１において、ＣＰＵ３５１は、図１２に示されるような認証開始メッセージ４０１を出力部３５７のディスプレイに表示させる。
【０１０３】
図１２の認証開始メッセージ４０１は、メッセージ表示欄４１１、並びにコマンドを表示するコマンド表示欄４１２とコマンド表示欄４１３を有する。
【０１０４】
図１２の例の場合、メッセージ表示欄４１１には、メッセージとして「認証を開始しますか？」が表示されている。これにより、ユーザは、これ以降の処理により、パーソナルコンピュータ１７と設定データ管理サーバ１６との間における認証を開始することができることが分かる。
【０１０５】
コマンド表示欄４１２とコマンド表示欄４１３は、それぞれ、「Ｙｅｓ」と「Ｎｏ」というアイコンを表示している。ユーザは、入力部３５６を操作することによりコマンド表示欄４１３の「Ｎｏ」のコマンドのアイコンを選択し、認証の開始をキャンセルすることができる。また、ユーザは、入力部３５７を操作することにより、コマンド表示欄４１２の「Ｙｅｓ」のコマンドのアイコンを選択し、認証の開始を指令することができる。
【０１０６】
ＣＰＵ３５１は、ステップＳ７２で、認証の開始が指示された（「Ｙｅｓ」のアイコンが操作された）か否かを判定し、指示されていない（ユーザが入力部３５６を操作することによりコマンド表示欄４１３の「Ｎｏ」のコマンドのアイコンを選択した）と判定した場合、認証の開始がキャンセルされ、設定データ作成処理を終了する。
【０１０７】
ステップＳ７２でユーザが入力部３５６を操作することによりコマンド表示欄４１２の「Ｙｅｓ」のコマンドのアイコンを選択したと判定された場合、ステップＳ７３においてＣＰＵ３５１は、図１３に示されるような、パスワードを入力するためのインタフェースとしてのパスワード入力ダイアログ４４１を出力部３５７のディスプレイに表示させる。
【０１０８】
図１３のパスワード入力ダイアログ４４１は、メッセージ表示欄４５１、パスワードを入力するパスワード入力欄４５２、およびコマンドを表示するコマンド表示欄４５３を有する。
【０１０９】
図１３の例の場合、メッセージ表示欄４５１には、メッセージとして「パスワードを入力してください」が表示されている。これにより、ユーザは、これ以降の処理により、設定データ管理サーバ１６へのアクセスを許可する認証記号であるパスワードを入力することができることが分かる。なお、設定データ管理サーバ１６へのアクセスを許可する認証記号であるパスワードは、ユーザが設定データ管理サーバ１６に入会手続を行うときに予め付与されたもので、そのユーザの電話番号に対応付けて登録されている（後述する図２０参照）。
【０１１０】
ユーザは、入力部３５７の操作により、パスワード入力欄４５２に、パスワードを入力することができる。図１３の例の場合、ユーザがパスワード入力欄４５２に入力したパスワードは「ＡＢＣＤ」である。
【０１１１】
また、コマンド表示欄４５３は、「ＯＫ」というコマンドのアイコンを表示している。ユーザは、コマンド表示欄４５３の「ＯＫ」のコマンドのアイコンを選択することにより、パスワード入力欄４５２へのパスワードの入力の完了を指示することができる。
【０１１２】
ユーザがコマンド表示欄４５３の「ＯＫ」のコマンドのアイコンを選択した場合、ＣＰＵ３５１はステップＳ７４で、認証開始制御信号（パーソナルコンピュータ１７と設定データ管理サーバ１６の間におけるユーザ認証の開始を示す制御信号）を生成し、バス３５４を介して通信部３５９に供給する。認証開始制御信号には、ユーザにより入力されたパスワード（図１３の例の場合、「ＡＢＣＤ」）のデータが含まれている。通信部３５９は、ＣＰＵ３５１からバス３５４を介して供給された認証開始制御信号をネットワーク１５を介して設定データ管理サーバ１６に送信する。
【０１１３】
ステップＳ７５において、ＣＰＵ３５１は、ネットワーク１５を介して設定データ管理サーバ１６から設定データ作成可能制御信号（後述する図１９のステップＳ１７３の処理により設定データ管理サーバ１６において生成され、送信されてくる制御信号）を受信したか否かを判定する。ステップＳ７５において設定データ管理サーバ１６から設定データ作成可能制御信号を受信したと判定された場合、ＣＰＵ３５１はステップＳ７６で、図１４に示されるような設定データ作成開始メッセージ４７１を出力部３５７のディスプレイに表示させる。
【０１１４】
図１４の設定データ作成開始メッセージ４７１は、メッセージ表示欄４８１およびコマンドを表示するコマンド表示欄４８２を有する。
【０１１５】
図１４の例の場合、メッセージ表示欄４７１には、メッセージとして「設定データの作成を開始します」が表示されている。これにより、ユーザは、これ以降の処理により、設定データの作成を開始することができることが分かる。
【０１１６】
また、コマンド表示欄４８２は、「ＯＫ」というコマンドのアイコンを表示している。ユーザは、コマンド表示欄４８２の「ＯＫ」のコマンドのアイコンを選択することにより、設定データの作成の開始を指示することができる。
【０１１７】
ユーザがコマンド表示欄４８２の「ＯＫ」のコマンドのアイコンを選択した場合、ＣＰＵ３５１はステップＳ７７で、設定データ作成開始制御信号（設定データの作成の開始を示す制御信号）を生成し、バス３５４を介して通信部３５９に供給する。通信部３５９は、ＣＰＵ３５１からバス３５４を介して供給された設定データ作成開始制御信号をネットワーク１５を介して設定データ管理サーバ１６に送信する。
【０１１８】
ステップＳ７８において、ＣＰＵ３５１は、ネットワーク１５を介して設定データ管理サーバ１６から設定データ作成用画像データ（後述する図１９のステップＳ１７６で送信される）を受信したか否かを判定する。ステップＳ７８において設定データ管理サーバ１６から設定データ作成用画像データを受信していないと判定された場合、処理は設定データ管理サーバ１６から設定データ作成用画像データを受信するまで待機する。
【０１１９】
ステップＳ７８において設定データ管理サーバ１６から設定データ作成用画像データを受信したと判定された場合、ＣＰＵ３５１はステップＳ７９で、受信した設定データ作成用画像データに基づいて、図１５に示されるようなＧＵＩとしての設定データ作成用画面５０１を出力部３５７のディスプレイに表示させる。なお、設定データ作成用画像データにはＨＴＭＬ（Ｈｙｐｅｒ  Ｔｅｘｔ  Ｍａｒｋｕｐ  Ｌａｎｇｕａｇｅ）などを用いることができる。
【０１２０】
図１５の設定データ作成用画面５０１の場合、第１列目に、「サスペンション」、「クラクション」、および「空調装置」の設定対象の名称が表示されている。
【０１２１】
図１５の第１行目の「サスペンション」の場合、第２列目に、「バネ定数」、「減衰特性」、および「車高」の設定対象が表示されている。「バネ定数」はサスペンション１０３（図３）のバネの硬さを意味している。また、「減衰特性」は、サスペンション１０３のダンパーの、ピストンスピードに対する減衰変化の性質を意味し、「車高」は、自動車１１の地面に対する高さを意味している。図１５の「バネ定数」の例の場合、サスペンション１０３（図３）のバネの硬さとして、サスペンション１０３のバネが比較的柔らかいことを示す「柔」から、サスペンション１０３のバネが比較的硬いことを示す「硬」までの２０段階の間で任意の状態に設定することができる。例えば、「１０．０」や「６．５」などのように、サスペンション１０３のバネの硬さを設定することができる。
【０１２２】
図１５の「減衰特性」の例の場合、サスペンション１０３のダンパーの、ピストンスピードに対する減衰変化の特性の状態を、予め設定されている「タイプＡ１」、「タイプＡ２」、「タイプＡ３」、「タイプＡ４」、「タイプＡ５」、「タイプＡ６」、「タイプＡ７」、および「タイプＡ８」の８つの種類から任意に選択して設定することができる。例えば、「タイプＡ５」や「タイプＡ７」などのように、サスペンション１０３のダンパーの、ピストンスピードに対する減衰変化の特性の状態を設定することができる。
【０１２３】
図１５の「車高」の例の場合、自動車１１の地面に対する高さとして、自動車１１の地面に対する高さが比較的低いことを示す「低」から、比較的高いことを示す「高」までの２０段階の間で任意に設定することができる。例えば、「８．２」や「３．７」などのように、自動車１１の地面に対する高さを設定することができる。
【０１２４】
図１５の第２行目の「クラクション」の場合、第２列目に、「音の種類」および「音量」の設定対象が表示されている。「音の種類」はクラクション１０５（図３）により発生される音の種類を意味している。また、「音量」は、クラクション１０５により発生される音量を意味している。
【０１２５】
図１５の「音の種類」の例の場合、クラクション１０５により発生される音の種類として、予め設定されている「タイプＢ１」、「タイプＢ２」、「タイプＢ３」、「タイプＢ４」、「タイプＢ５」、「タイプＢ６」、「タイプＢ７」、および「タイプＢ８」の８つの種類から任意のものを選択して設定することができる。例えば、「タイプＢ２」や「タイプＢ３」などのように、クラクション１０５により発生される音の種類を設定することができる。
【０１２６】
図１５の「音量」の例の場合、クラクション１０５により発生される音量として、クラクション１０５により発生される音量が比較的小さいことを示す「小」から、クラクション１０５により発生される音量が比較的大きいことを示す「大」までの２０段階の間で任意に設定することができる。例えば、「２．０」や「９．４」などのように、クラクション１０５により発生される音量を設定することができる。
【０１２７】
図１５の第３行目の「空調」の場合、第２列目に、「温度」、「湿度」、および「風量」の設定対象が表示されている。「温度」は空調装置１０７により調節される自動車１１内の温度を意味している。また、「湿度」は、空調装置１０７により調節される自動車１１内の湿度を意味し、「風量」は、空調装置１０７により自動車１１内に送風される風量を意味している。
【０１２８】
図１５の「温度」の例の場合、空調装置１０７により調節される自動車１１内の温度として、空調装置１０７により調節される自動車１１内の温度が比較的低いことを示す「低」から、比較的高いことを示す「高」までの２０段階の間で任意に設定することができる。例えば、「１．０」や「９．９」のどのように、空調装置１０７により調節される自動車１１内の温度を設定することができる。図１５の「湿度」の例の場合、空調装置１０７により調節される自動車１１内の湿度として、空調装置１０７により調節される自動車１１内の湿度が比較的低いことを示す「低」から、比較的高いことを示す「高」までの２０段階の間で任意に設定することができる。例えば、「４．０」や「１５．０」のどのように、空調装置１０７により調節される自動車１１内の湿度を設定することができる。
【０１２９】
図１５の「風量」の例の場合、空調装置１０７により自動車１１内に送風される風量として、空調装置１０７により自動車１１内に送風される風量が比較的弱いことを示している「弱」から、空調装置１０７により自動車１１内に送風される風量が比較的強いことを示している「強」までの２０段階の間で任意に設定することができる。例えば、「１．０」や「５．６」などのように、空調装置１０７により自動車１１内に送風される風量を設定することができる。
【０１３０】
ユーザは、図１５に示される設定データ作成画面５０１の各部を操作することで、自分が希望する自動車１１の状態を入力する。
【０１３１】
図１１に戻り、ステップＳ８０において、ＣＰＵ３５１は、設定データ作成処理を実行する。設定データ取得処理は、図１６に示されている。
【０１３２】
図１６のフローチャートを参照して、図１のパーソナルコンピュータ１７における設定データ取得処理について説明する。
【０１３３】
ステップＳ１２１において、ＣＰＵ３５１は、ユーザからの入力部３５６の操作により、サスペンション１０３の設定が指示されたか否かを判定する。ステップＳ１２１においてサスペンション１０３の設定が指示されたと判定された場合、ステップＳ１２２においてＣＰＵ３５１は、ユーザが設定データ作成画面５０１を操作することで入力したサスペンション１０３の設定データ（図１５の例の場合、「バネ定数」、「クラクション」、および「空調装置」の設定データ）を取得し、対応する具体的数値のデータを作成する。
【０１３４】
ステップＳ１２８において、ＣＰＵ３５１は、ユーザからの入力部３５６の操作により、他の部分の設定が指示されたか否かを判定する。ステップＳ１２８において他の部分の設定が指示されたと判定された場合、処理はステップＳ１２１に戻り、それ以降の処理が繰り返される。すなわち、他の部分の設定が行われる。
【０１３５】
ステップＳ１２１においてサスペンション１０３の設定が指示されていないと判定された場合、ＣＰＵ３５１はステップＳ１２２で、クラクション１０５の設定が指示されたか否かを判定する。ステップＳ１２３においてクラクション１０５の設定が指示されたと判定された場合、ＣＰＵ３５１はステップＳ１２４で、ユーザが設定データ作成画面５０１を操作することで入力したクラクション１０５の設定データ（図１５の例の場合、「音の種類」と「音量」の設定データ）を取得し、対応する具体的数値のデータを作成する。その後、処理はステップＳ１２８に進み、それ以降、同様の処理が繰り返される。
【０１３６】
ステップＳ１２３においてクラクション１０５を設定が指示されなかったと判定された場合、ＣＰＵ３５１はステップＳ１２５で、空調装置１０７の設定が指示されたか否かを判定する。ステップＳ１２５において空調装置１０７の設定が指示されたと判定された場合、ＣＰＵ３５１はステップＳ１２６で、ユーザが設定データ作成画面５０１を操作することで入力した空調装置１０７の設定データ（図１５の例の場合、「温度」、「湿度」、および「風量」の設定データ）を取得し、対応する具体的数値のデータを作成する。その後、処理はステップＳ１２８に進み、それ以降、同様の処理が繰り返される。
【０１３７】
ステップＳ１２５において空調装置１０７の設定が指示されなかったと判定された場合、ＣＰＵ３５１はステップＳ１２７で、エラー処理を実行する。その後、処理はステップＳ１２８に進み、それ以降、同様の処理が繰り返される。
【０１３８】
このように、ユーザは、自動車１１の各部分（図３の例の場合、サスペンション１０２、クッション１０３、および空調装置１０４）を任意の状態に設定するための設定データを入力することができる。
【０１３９】
なお、本発明の実施の形態においては、自動車１１のサスペンション１０３、クラクション１０５、および空調装置１０７の状態について設定するようにしたが、勿論、自動車１１において設定可能なあらゆる部分、例えば、アクセルなどの部分について任意に設定することができるようにしてもよい。
【０１４０】
図１１に戻り、以上のようにして、ステップＳ８０で設定データ取得処理が実行した後、ステップＳ８１において、ＣＰＵ３５１は、生成された設定データをバス３５４を介して通信部３５９に供給する。通信部３５９は、ＣＰＵ３５１から供給された設定データをネットワーク１５を介して設定データ管理サーバ１６に送信する。
【０１４１】
ステップＳ８２において、ＣＰＵ３５１は、ネットワーク１５を介して設定データ管理サーバ１６から設定データ受理制御信号（図１９のステップＳ１７９の処理により設定データ管理サーバ１６において生成された制御信号）を受信したか否かを判定する。ステップＳ８２において設定データ管理サーバ１６から設定データ受理制御信号を受信していないと判定された場合、処理は設定データ管理サーバ１６から設定データ受理制御信号を受信するまで待機する。
【０１４２】
ステップＳ８２において設定データ管理サーバ１６から設定データ受理制御信号を受信したと判定された場合、ＣＰＵ３５１はステップＳ８３で、図１７に示されるような設定データ受理メッセージ５４１を出力部３５７のディスプレイに表示させる。
【０１４３】
図１７の設定データ受理メッセージ５４１は、メッセージ表示欄５５１およびコマンドを表示するコマンド表示欄５５２を有する。
【０１４４】
図１７の例の場合、メッセージ表示欄５５１には、メッセージとして「設定データが受理されました」が表示されている。これにより、ユーザは、これまでの処理により作成された設定データが設定データ管理サーバ１６に受理されたことが分かる。
【０１４５】
また、コマンド表示欄５５２は、「ＯＫ」というコマンドのアイコンを表示している。ユーザは、コマンド表示欄５５２の「ＯＫ」のコマンドのアイコンを選択することにより、設定データの作成の完了を指示することができる。
【０１４６】
ユーザがコマンド表示欄５５２の「ＯＫ」のコマンドのアイコンを選択した場合、設定データ作成処理は終了する。
【０１４７】
一方、ステップＳ７５において設定データ管理サーバ１６から設定データ作成可能制御信号を受信していないと判定された場合（すなわち、ＣＰＵ３５１が設定データ管理サーバ１６から設定データ作成不可能制御信号（図１９のステップＳ１８０の処理により設定データ管理サーバ１６において生成される、設定データの作成が不可能であることを示す制御信号）を受信したと判定された場合）、ＣＰＵ３５１はステップＳ８４で、図１８に示されるような設定データ作成不可能メッセージ５７１を出力部３５７のディスプレイに表示させる。
【０１４８】
図１８の設定データ作成不可能メッセージ５７１は、メッセージ表示欄５８１およびコマンドを表示するコマンド表示欄５８２を有する。
【０１４９】
図１８の例の場合、メッセージ表示欄５８１には、メッセージとして「設定データを作成することができません」が表示されている。これにより、ユーザは、これ以降の処理により設定データを作成することができないことが分かる。
【０１５０】
また、コマンド表示欄５８２は、「戻る」というコマンドのアイコンを表示している。ユーザは、コマンド表示欄５８２の「戻る」のコマンドのアイコンを選択することにより、設定データの作成をキャンセルすることができる。
【０１５１】
ユーザがコマンド表示欄５８２の「戻る」のコマンドのアイコンを選択した場合、設定データ作成処理はキャンセルされ、設定データ作成処理は終了する。
【０１５２】
このように、パーソナルコンピュータ１７と設定データ管理サーバ１６との間においてユーザ認証を行うようにしたので、設定データ管理サーバ１６にアクセスした他人によりユーザの設定データが不正に操作されるのを防ぐことができる。従って、設定データ管理サーバ１６は、パーソナルコンピュータ１７との間においてセキュリティを確保しつつ、ユーザが所有する自動車１１の設定データを管理することができる。
【０１５３】
また、以上においては、パーソナルコンピュータ１７を用いて自動車１１の設定データを作成するようにしたが、ＰＤＡやカメラ付ディジタル携帯電話機３１などの種々の情報処理端末を用いて作成するようにしてもよい。
【０１５４】
次に、図１９のフローチャートを参照して、パーソナルコンピュータ１７設定データ作成処理に対応して設定データ管理サーバ１６により実行される設定データ受理処理について説明する。
【０１５５】
ステップＳ１７１において、設定データ管理サーバ１６の制御部３０２は、ネットワーク１５を介してパーソナルコンピュータ１７から送受信部３０１が認証開始制御信号（図１１のステップＳ７４の処理によりパーソナルコンピュータ１７において生成された制御信号）を受信したか否かを判定する。上述したように、この認証開始制御信号には、ユーザにより入力されたパスワード（図１３の例の場合、「１１１１」）のデータが含まれている。
【０１５６】
ステップＳ１７１においてパーソナルコンピュータ１７から認証開始制御信号を受信していないと判定された場合、処理はパーソナルコンピュータ１７から認証開始制御信号を受信するまで待機する。
【０１５７】
ステップＳ１７１においてパーソナルコンピュータ１７から認証開始制御信号を受信したと判定された場合、制御部３０２はステップＳ１７２で、受信した認証開始制御信号に含まれるパスワードが、データベース３０４に登録されているパスワード（図２０を参照して後述する）と一致する（登録されている）か否かを判定する。
【０１５８】
ステップＳ１７２において認証開始制御信号に含まれるパスワードが登録されていると認証された場合、制御部３０２はステップＳ１７３で、設定データ作成可能制御信号（設定データの作成が可能であることを示す制御信号）を生成し、設定データ管理サーバ１６の送受信部３０１に供給する。送受信部３０１は、制御部３０２から供給された設定データ作成可能制御信号をネットワーク１５を介してパーソナルコンピュータ１７に送信する。
【０１５９】
ステップＳ１７４において制御部３０２は、ネットワーク１５を介してパーソナルコンピュータ１７から送受信部３０１が設定データ作成開始制御信号（図１１のステップＳ７７の処理によりパーソナルコンピュータ１７において生成された制御信号）を受信したか否かを判定する。ステップＳ１７４においてパーソナルコンピュータ１７から設定データ作成開始制御信号を受信しなかったと判定された場合、処理はパーソナルコンピュータ１７から設定データ作成開始制御信号を受信するまで待機する。
【０１６０】
ステップＳ１７４においてパーソナルコンピュータ１７から設定データ作成開始制御信号を受信したと判定された場合、制御部３０２はステップＳ１７５で、記憶部３０３からＧＵＩのための設定データ作成用画像データを読み出し、送受信部３０１に供給する。ステップＳ１７６において、送受信部３０１は、ＨＴＴＰ（Ｈｙｐｅｒ  Ｔｅｘｔ  Ｔｒａｎｓｆｅｒ  Ｐｒｏｔｏｃｏｌ）などの既知のプロトコルを用いて、制御部３０２から供給された設定データ作成用画像データをネットワーク１５を介してパーソナルコンピュータ１７に送信する。
【０１６１】
ステップＳ１７７において、制御部３０２は、ネットワーク１５を介してパーソナルコンピュータ１７から作成された設定データ（図１１のステップＳ８０において作成された設定データ）を送受信部３０１が受信したか否かを判定する。ステップＳ１７７においてパーソナルコンピュータ１７から作成された設定データを受信しなかったと判定された場合、処理はパーソナルコンピュータ１７から作成された設定データを受信するまで待機する。
【０１６２】
ステップＳ１７７においてパーソナルコンピュータ１７から作成された設定データを受信したと判定された場合、制御部３０２はステップＳ１７８で、受信した設定データをデータベース３０４に登録する（すでに設定データが登録されている場合には、その設定データを更新する）。
【０１６３】
図２０は、図１の設定データ管理サーバ１６のデータベース３０４の例を表している。図２０のデータベース３０４の例の場合、第１列目乃至第６列目に示されるように、「管理番号」、「電話番号」、「サスペンション」、「クッション」、「空調装置」、および「パスワード」が対応付けられて登録されている。図２０の第１列目の「管理番号」は、設定データ管理サーバ１６に管理されている設定データの管理用の番号である。第２列目の「電話番号」は、設定データ管理サーバ１６に設定データを管理させているユーザが所有するカメラ付ディジタル携帯電話機３１の電話番号であり、入会時、ユーザより入力されたものが登録されている。第３列目の「サスペンション」はサスペンション１０３の設定データであり、「バネ定数」、「減衰特性」、および「車高」の３つの項目がある。第４列目の「クラクション」はクラクション１０５の設定データであり、「音の種類」と「音量」の２つの項目がある。第５列目の「空調装置」は空調装置１０７の設定データであり、「温度」、「湿度」、および「風量」の３つの項目がある。第６列目の「パスワード」は、ネットワーク１５を介してパーソナルコンピュータ１７から設定データ管理サーバ１６へのアクセスをユーザに許可する認証記号であり、入会時、ユーザに付与されたものである。
【０１６４】
図２０の第２行目の場合、「管理番号」が「１」とされ、「電話番号」は「０９０７２３９８１１９」とされている。また、「サスペンション」における「バネ定数」、「減衰特性」、および「車高」の設定データは、それぞれ、「９．５」、「タイプＡ２」、および「１０．０」とされている。「クラクション」における「音の種類」と「音量」の設定データは、それぞれ、「タイプＢ３」と「５．０」とされ、「空調装置」における「温度」、「湿度」、および「風量」の設定データは、それぞれ、「７．０」、「９．０」、および「７．５」とされている。さらに、「パスワード」は、「１１１１」である。
【０１６５】
図２０の第３行目の場合、「管理番号」が「２」であり、「電話番号」は「０９０８２９３２２６３」とされている。また、「サスペンション」における「バネ定数」、「減衰特性」、および「車高」の設定データは、それぞれ、「７．０」、「タイプＡ７」、および「２．０」とされている。「クラクション」における「音の種類」と「音量」の設定データは、それぞれ、「タイプＢ１」と「１．０」とされ、「空調装置」における「温度」、「湿度」、および「風量」の設定データは、それぞれ、「３．０」、「５．５」、および「１１．５」とされている。さらに、「パスワード」は、「ＢＣＤＥ」とされている。
【０１６６】
このように、設定データ管理サーバ１６は、ユーザにより作成された自動車１１の設定データと電話番号（ユーザが所有するカメラ付ディジタル携帯電話機３１の電話番号）などを対応付けてデータベース３０４に登録し、管理している。
【０１６７】
なお、ユーザを識別するＩＤとして、電話番号以外のユーザＩＤなどを用いることも可能であるが、電話番号とすることで、後述するように、ユーザに大きな負担をかけることなく、カメラ付ディジタル携帯電話機３１をホルダ５６に装着するだけの簡単な操作で、設定データをそのユーザのものに簡単かつ迅速にすることができる。
【０１６８】
ステップＳ１７９において、制御部３０２は設定データ受理制御信号（設定データ管理サーバ１６における設定データの受理を示す制御信号）を生成し、送受信部３０１に供給する。送受信部３０１は、制御部３０２から供給された設定データ受理制御信号をネットワーク１５を介してパーソナルコンピュータ１７に送信する。その後、処理はステップＳ１７１に戻り、それ以降同様の処理が繰り返される。すなわち、設定データ管理サーバ１６にアクセスしてきた他のユーザについての設定データ受理処理が同様に実行される。
【０１６９】
ステップＳ１７２において認証開始制御信号に含まれるパスワードが登録されていないと認証された場合、制御部３０２はステップＳ１８０で、設定データ作成不可能制御信号（設定データ管理サーバ１６において設定データの作成が不可能であることを示す制御信号）を生成し、送受信部３０１に供給する。送受信部３０１は、制御部３０２から供給された設定データ作成不可能制御信号をネットワーク１５を介してパーソナルコンピュータ１７に送信する。
【０１７０】
このように、パーソナルコンピュータ１７と設定データ管理サーバ１６との間においてユーザ認証を行うようにしたので、設定データ管理サーバ１６にアクセスした他人によりユーザの設定データが不正に操作されるのを防ぐことができる。従って、設定データ管理サーバ１６は、パーソナルコンピュータ１７との間においてセキュリティを確保しつつ、ユーザが所有する自動車１１の設定データを管理することができる。
【０１７１】
設定データにより自動車１１の各部の設定の更新を行うためには、次に、ユーザは、作成した設定データを管理する設定データ管理サーバ１６からカメラ付ディジタル携帯電話機３１に設定データをダウンロードし、記憶させる。カメラ付ディジタル携帯電話機３１における設定データ記憶処理と、その処理に対応する設定データ管理サーバ１６における設定データ配信処理の概略を、図２１のフローチャートを参照して説明する。
【０１７２】
なお、図２１のフローチャートの各装置毎の処理の詳細については、図２２と図２７を参照して後述する。また、カメラ付ディジタル携帯電話機３１での設定データ記憶処理は、ユーザの指示があったときに開始される。
【０１７３】
ステップＳ２０１において、カメラ付ディジタル携帯電話機３１は、認証開始メッセージ（図２３を参照して後述する）を表示する。ユーザは、表示された認証開始メッセージに基づいて認証開始を指示する。ステップＳ２０２において、カメラ付ディジタル携帯電話機３１は、ユーザの指示に基づいて、カメラ付ディジタル携帯電話機３１の電話番号のデータが含まれている認証開始制御信号（設定データ管理サーバ１６におけるユーザ認証の開始を示す制御信号）を生成し、最寄りの基地局１２、公衆回線網１３、アクセスサーバ１４、およびネットワーク１５を介して設定データ管理サーバ１６に送信する。
【０１７４】
ステップＳ２３１において認証開始制御信号を受信した設定データ管理サーバ１６は、ステップＳ２３２で認証開始制御信号に含まれるカメラ付ディジタル携帯電話機３１の電話番号が、データベース３０４に登録されているカメラ付ディジタル携帯電話機３１の電話番号と一致する（登録されている）か否かを認証する。認証開始制御信号に含まれるカメラ付ディジタル携帯電話機３１の電話番号が登録されていると認証された場合、設定データ管理サーバ１６は、ステップＳ２３３において、設定データダウンロード可能制御信号（設定データ管理サーバ１６から登録されている設定データをダウンロードすることができることを示す制御信号）を生成し、ネットワーク１５を介してカメラ付ディジタル携帯電話機３１に送信する。
【０１７５】
ステップＳ２０３において設定データダウンロード可能制御信号を受信したカメラ付ディジタル携帯電話機３１は、ステップＳ２０４で設定データダウンロード開始メッセージ（図２４を参照して後述する）を表示する。ユーザは、表示された設定データダウンロード開始メッセージに基づいて設定データのダウンロードの開始を指示する。ステップＳ２０５において、カメラ付ディジタル携帯電話機３１は、ユーザの指示に基づいて、設定データダウンロード開始制御信号（設定データのダウンロードの開始を示す制御信号）を生成し、ネットワーク１５を介して設定データ管理サーバ１６に送信する。
【０１７６】
ステップＳ２３４において設定ダウンロード開始制御信号を受信した設定データ管理サーバ１６は、ステップＳ２３５で、登録されている設定データを読み出す。ステップＳ２３６において、設定データ管理サーバ１６は、ネットワーク１５を介してカメラ付ディジタル携帯電話機３１に読み出された設定データを送信する。
【０１７７】
ステップＳ２０６で、カメラ付ディジタル携帯電話機３１は、設定データを受信すると、記憶部２６４またはメモリスティック２２３に登録する。読み出された設定データの送信が完了したとき、設定データ管理サーバ１６はステップＳ２３７で、設定データ送信完了制御信号（設定データ管理サーバ１６からの設定データの送信が完了したことを示す制御信号）を生成し、ネットワーク１５を介してカメラ付ディジタル携帯電話機３１に送信する。
【０１７８】
ステップＳ２０７において設定データ送信完了制御信号を受信したカメラ付ディジタル携帯電話機３１は、ステップＳ２０８で、設定データダウンロード完了メッセージ（図２５を参照して後述する）を表示する。
【０１７９】
このようにして、カメラ付ディジタル携帯電話機３１に設定データが記憶され、この処理に対応して設定データ管理サーバ１６で設定データ配信処理が行われる。
【０１８０】
次に、図２２のフローチャートを参照して、図２のカメラ付ディジタル携帯電話機３１における設定データ記憶処理（図２１のステップＳ２０１乃至Ｓ２８０の処理）の詳細について説明する。なお、カメラ付ディジタル携帯電話機３１でのこの設定データ記憶処理は、ユーザが記憶処理の開始を指示したときに開始される。
【０１８１】
ステップＳ２６１において、カメラ付ディジタル携帯電話機３１の主制御部２５０は、ＬＣＤ制御部２５５を制御して、図２３に示されるような認証開始メッセージ６３１を液晶ディスプレイ２１８に表示させる。
【０１８２】
図２３の認証開始メッセージ６３１は、メッセージ表示欄６４１、およびコマンドを表示するコマンド表示欄６４２とコマンド表示欄６４３を有する。
【０１８３】
図２３の例の場合、メッセージ表示欄６４１には、メッセージとして「認証を開始しますか？」が表示される。これにより、ユーザは、これ以降の処理により、カメラ付ディジタル携帯電話機３１と設定データ管理サーバ１６との間において認証を開始することができることが分かる。
【０１８４】
コマンド表示欄６４２とコマンド表示欄６４３は、それぞれ、「Ｙｅｓ」と「Ｎｏ」というアイコンを表示している。ユーザは、操作キー２１９やジョグダイヤル２２２を操作することによりコマンド表示欄６４３の「Ｎｏ」のコマンドのアイコンを選択し、認証の開始をキャンセルすることができる。また、ユーザは、操作キー２１９やジョグダイヤル２２２を操作することにより、コマンド表示欄６４２の「Ｙｅｓ」のコマンドのアイコンを選択し、認証の開始を指令することができる。
【０１８５】
従って、主制御部２５０はステップＳ２６２で、認証の開始が指示されたか否かを判定し、ユーザが操作キー２１９やジョグダイヤル２２２を操作することによりコマンド表示欄６４３の「Ｎｏ」のコマンドのアイコンを選択した場合、認証の開始が指示されないと判定し、認証の開始がキャンセルし、設定データ記憶処理を終了する。
【０１８６】
ユーザが操作キー２１９やジョグダイヤル２２２を操作することによりコマンド表示欄６４２の「Ｙｅｓ」のコマンドのアイコンを選択した場合、ステップＳ２６２で認証の開始が指令され他と判定される。このとき、ステップＳ２６３において主制御部２５０は、記憶部２６４に予め記憶されているカメラ付ディジタル携帯電話機３１の電話番号（例えば、「０９０７２３９８１１９」などのようなカメラ付ディジタル携帯電話機３１の固有の電話番号）を読み出す。
【０１８７】
ステップＳ２６４において、主制御部２５０は、読み出されたカメラ付ディジタル携帯電話機３１の電話番号のデータが含まれる認証開始制御信号（カメラ付ディジタル携帯電話機３１と設定データ管理サーバ１６との間の認証の開始を示す制御信号）を生成し、変復調回路部２５８に供給する。変復調回路部２５８は、主制御部２５０から供給された認証開始制御信号をスペクトラム拡散処理し、送受信回路部２６２に供給する。送受信回路部２６２は、変復調回路部２５８から供給された認証開始制御信号にディジタルアナログ変換処理及び周波数変換処理を施した後にアンテナ２１４を介して設定データ管理サーバ１６に送信する。
【０１８８】
ステップＳ２６５において、主制御部２５０は、ネットワーク１５を介して設定データ管理サーバ１６から送受信回路部２６２が設定データダウンロード可能制御信号（図２７のステップＳ３０３の処理において生成される制御信号）を受信したか否かを判定する。
【０１８９】
ステップＳ２６５において設定データ管理サーバ１６から設定データダウンロード可能制御信号を受信したと判定された場合、主制御部２５０は、ＬＣＤ制御部２５５を制御して、図２４に示されるような設定データダウンロード開始メッセージ６７１を液晶ディスプレイ２１８に表示させる。
【０１９０】
図２４の設定データダウンロード開始メッセージ６７１は、メッセージ表示欄６８１およびコマンドを表示するコマンド表示欄６８２を有する。
【０１９１】
図２４の例の場合、メッセージ表示欄６７１には、メッセージとして「設定データのダウンロードを開始します」が表示されている。これにより、ユーザは、これ以降の処理により、設定データ管理サーバ１６から設定データのダウンロードを開始することができることが分かる。
【０１９２】
また、コマンド表示欄６８２は、「ＯＫ」というコマンドのアイコンを表示している。ユーザは、コマンド表示欄６８２の「ＯＫ」のコマンドのアイコンを選択することにより、設定データのダウンロードの開始を指示することができる。
【０１９３】
ユーザがコマンド表示欄６８２の「ＯＫ」のコマンドのアイコンを選択した場合、主制御部２５０はステップＳ２６７で、設定データダウンロード開始制御信号（設定データのダウンロードの開始を示す制御信号）を生成し、変復調回路部２５８に供給する。変復調回路部２５８は、主制御部２５０から供給された設定データダウンロード開始制御信号をスペクトラム拡散処理し、送受信回路部２６２に供給する。送受信回路部２６２は、変復調回路部２５８から供給された設定データダウンロード開始制御信号にディジタルアナログ変換処理及び周波数変換処理を施した後にアンテナ２１４を介して設定データ管理サーバ１６に送信する。
【０１９４】
ステップＳ２６８において、送受信回路部２６２は、ネットワーク１５を介して設定データ管理サーバ１６から設定データ（図２０の例の場合、第３列目ないし第６列目の「サスペンション」、「クッション」、および「空調装置」の設定データ）を受信する。
【０１９５】
ステップＳ２６９において、主制御部２５０は、ネットワーク１５を介して設定データ管理サーバ１６から送受信回路部２６２が設定データ送信完了制御信号（図２７のステップＳ３０８の処理において生成される制御信号）を受信したか否かを判定する。ステップＳ２６９において設定データ管理サーバ１６から設定データ送信完了制御信号を受信しなかったと判定された場合、処理は設定データ管理サーバ１６から設定データ送信完了制御信号を受信するまで待機する。
【０１９６】
ステップＳ２６９において設定データ管理サーバ１６から送受信回路部２６２が設定データ送信完了制御信号を受信したと判定された場合、主制御部２５０は、受信した設定データを記憶部２６４に記憶させるとともに、ＬＣＤ制御部２５５を制御して、図２５に示されるような設定データダウンロード完了メッセージ７１１を液晶ディスプレイ２１８に表示させる。
【０１９７】
図２５の設定データダウンロード完了メッセージ７１１は、メッセージ表示欄７２１およびコマンドを表示するコマンド表示欄７２２を有する。
【０１９８】
図２５の例の場合、メッセージ表示欄７１１には、メッセージとして「設定データのダウンロードが完了しました」が表示されている。これにより、ユーザは、設定データ管理サーバ１６からの設定データのダウンロードが完了したことが分かる。
【０１９９】
また、コマンド表示欄７２２は、「ＯＫ」というコマンドのアイコンを表示している。ユーザは、コマンド表示欄７２２の「ＯＫ」のコマンドのアイコンを選択することにより、設定データのダウンロードの完了を指示することができる。
【０２００】
ユーザがコマンド表示欄７２２の「ＯＫ」のコマンドのアイコンを選択した場合、設定データ記憶処理は終了する。
【０２０１】
一方、ステップＳ２６５において設定データ管理サーバ１６から設定データダウンロード可能制御信号を受信しなかったと判定された場合（すなわち、設定データ管理サーバ１６から設定データダウンロード不可能制御信号（図２７のステップＳ３０９の処理において生成される、設定データ管理サーバ１６からの設定データのダウンロードが不可能であることを示す制御信号）を受信したと判定された場合）、ＬＣＤ制御部２５５を制御して、図２６に示されるような設定データダウンロード不可能メッセージ７５１を液晶ディスプレイ２１８に表示させる。
【０２０２】
図２６の設定データダウンロード不可能メッセージ７５１は、メッセージ表示欄７６１およびコマンドを表示するコマンド表示欄７６２を有する。
【０２０３】
図２６の例の場合、メッセージ表示欄７５１には、メッセージとして「設定データをダウンロードすることができません」が表示される。これにより、ユーザは、これ以降の処理により、設定データ管理サーバ１６から設定データをダウンロードすることができないことが分かる。
【０２０４】
また、コマンド表示欄７６２は、「戻る」というコマンドのアイコンを表示している。ユーザは、コマンド表示欄７６２の「戻る」のコマンドのアイコンを選択することにより、設定データのダウンロードをキャンセルすることができる。
【０２０５】
ユーザがコマンド表示欄７６２の「戻る」のコマンドのアイコンを選択した場合、設定データ記憶処理はキャンセルされ、設定データ記憶処理は終了する。
【０２０６】
以上のようにして、ユーザは、パーソナルコンピュータ１７で予め作成した設定データを設定データ管理サーバ１６から取得し、記憶させることができる。
【０２０７】
このとき、カメラ付ディジタル携帯電話機３１と設定データ管理サーバ１６との間においてユーザ認証を行うようにしたので、設定データ管理サーバ１６にアクセスした他人によりユーザの設定データが不正にダウンロードされるのを防ぐことができる。また、このとき、ユーザＩＤとして電話番号を用いるようにしたので、ユーザは、簡単かつ迅速に、設定データをダウンロードすることができる。
【０２０８】
次に、図２７のフローチャートを参照して、図２２の設定データ記憶処理に対応する、設定データ管理サーバ１６における設定データ配信処理（図２１のステップＳ２３１乃至Ｓ２３７の処理）の詳細について説明する。
【０２０９】
ステップＳ３０１において、設定データ管理サーバ１６の制御部３０２は、ネットワーク１５を介してカメラ付ディジタル携帯電話機３１から送受信部３０１が認証開始制御信号（図２２のステップＳ２６１の処理によりカメラ付ディジタル携帯電話機３１において生成された制御信号）を受信したか否かを判定する。上述したように、この認証開始制御信号には、カメラ付ディジタル携帯電話機３１の電話番号（例えば、「０９０７２３９８１１９」などのようなカメラ付ディジタル携帯電話機３１の固有の電話番号）のデータが含まれている。
【０２１０】
ステップＳ３０１においてカメラ付ディジタル携帯電話機３１から認証開始制御信号を受信していないと判定された場合、処理はカメラ付ディジタル携帯電話機３１から認証開始制御信号を受信するまで待機する。
【０２１１】
ステップＳ３０１においてカメラ付ディジタル携帯電話機３１から認証開始制御信号を受信したと判定された場合、制御部３０２はステップＳ３０２で、受信した認証開始制御信号に含まれるカメラ付ディジタル携帯電話機３１の電話番号（例えば、「０９０７２３９８１１９」などのようなカメラ付ディジタル携帯電話機３１の固有の電話番号）が、データベース３０４に登録されているカメラ付ディジタル携帯電話機３１の電話番号（図２０の例の場合、第２行目の「０９０７２３９８１１９」と第３行目の「０９０８２９３２２６３」）と一致する（登録されている）か否かを認証する。
【０２１２】
ステップＳ３０２において認証開始制御信号に含まれるカメラ付ディジタル携帯電話機３１の電話番号が登録されていると認証された場合、制御部３０２はステップＳ３０３で、設定データダウンロード可能制御信号（設定データ管理サーバ１６からの設定データのダウンロードが可能であることを示す制御信号）を生成し、設定データ管理サーバ１６の送受信部３０１に供給する。送受信部３０１は、制御部３０２から供給された設定データダウンロード可能制御信号をネットワーク１５を介してカメラ付ディジタル携帯電話機３１に送信する。
【０２１３】
ステップＳ３０４において制御部３０２は、ネットワーク１５を介してカメラ付ディジタル携帯電話機３１から送受信部３０１が設定データダウンロード開始制御信号（図２２のステップＳ２６４の処理によりカメラ付ディジタル携帯電話機３１において生成された制御信号）を受信したか否かを判定する。ステップＳ３０４においてカメラ付ディジタル携帯電話機３１から設定データダウンロード開始制御信号を受信しなかったと判定された場合、処理はカメラ付ディジタル携帯電話機３１から設定データダウンロード開始制御信号を受信するまで待機する。
【０２１４】
ステップＳ３０４においてカメラ付ディジタル携帯電話機３１から設定データダウンロード開始制御信号を受信したと判定された場合、制御部３０２はステップＳ３０５で、認証開始制御信号に含まれるカメラ付ディジタル携帯電話機３１の電話番号に対応する設定データ（図２０の例の場合、第２行目の「０９０７２３９８１１９」、または第３行目の「０９０８２９３２２６３」に対応する第３列目乃至第５列目の「サスペンション」、「クッション」、および「空調装置」の設定データ）をデータベース３０４から読み出し、送受信部３０１に供給する。
【０２１５】
ステップＳ３０６において、送受信部３０１は、ネットワーク１５を介してカメラ付ディジタル携帯電話機３１に制御部３０２から供給された設定データを送信する。
【０２１６】
ステップＳ３０７において、制御部３０２は、設定データの送信が完了したか否かを判定する。ステップＳ３０７において設定データの送信が完了しなかったと判定された場合、処理は設定データの送信が完了するまで待機する。
【０２１７】
ステップＳ３０７において設定データの送信が完了したと判定された場合、制御部３０２はステップＳ３０８で、制御部３０２は、設定データ送信完了制御信号（設定データ管理サーバ１６からの設定データの送信が完了したことを示す制御信号）を生成し、送受信部３０１に供給する。送受信部３０１は、制御部３０２から供給された設定データ送信完了制御信号をネットワーク１５を介してカメラ付ディジタル携帯電話機３１に送信する。
【０２１８】
ステップＳ３０２において認証開始制御信号に含まれるカメラ付ディジタル携帯電話機３１の電話番号が一致しないと認証された場合、制御部３０２はステップＳ３０９で、設定データダウンロード不可能制御信号（設定データ管理サーバ１６からの設定データのダウンロードが不可能であることを示す制御信号）を生成し、送受信部３０１に供給する。送受信部３０１は、制御部３０２から供給された設定データダウンロード不可能制御信号をネットワーク１５を介してカメラ付ディジタル携帯電話機３１に送信する。
【０２１９】
このように、設定データ管理サーバ１６は、ユーザが所有するカメラ付ディジタル携帯電話機３１にユーザにより予め作成され登録されている設定データを送信する。
【０２２０】
設定データにより自動車１１の各部の設定の更新を行う場合、次に、ユーザは、自動車１１の設定装置１０１に自分自身のカメラ付ディジタル携帯電話機３１の電話番号（例えば、「０９０７２３９８１１９」などのようなカメラ付ディジタル携帯電話機３１の固有の電話番号）を予め記憶させておく。その後、ユーザは、カメラ付ディジタル携帯電話機３１から自動車１１の設定装置１０１に設定データを送信する。図２のカメラ付ディジタル携帯電話機３１における設定データ送信処理と、その処理に対応する、図３の設定装置１０１における設定データ受信処理の概略を、図２８のフローチャートを参照して説明する。
【０２２１】
なお、図２８のフローチャートの各装置毎の処理の詳細については、図２９と図３４を参照して後述する。また、カメラ付ディジタル携帯電話機３１での設定データ送信処理は、ユーザが自動車１１のホルダ５６にカメラ付ディジタル携帯電話機３１を装着したときに開始される。
【０２２２】
ステップＳ３３１において、カメラ付ディジタル携帯電話機３１は、認証開始メッセージ（図３０を参照して後述する）を表示する。ユーザは、表示された認証開始メッセージに基づいて認証開始を指示する。ステップＳ３３２において、カメラ付ディジタル携帯電話機３１は、ユーザの指示に基づいて、カメラ付ディジタル携帯電話機３１の電話番号のデータが含まれている認証開始制御信号（カメラ付ディジタル携帯電話機３１と設定装置１０１との間におけるユーザ認証の開始を示す制御信号）を生成し、接続部を介して設定装置１０１に送信する。
【０２２３】
ステップＳ３６１において認証開始制御信号を受信した設定装置１０１は、ステップＳ３６２で認証開始制御信号に含まれるカメラ付ディジタル携帯電話機３１の電話番号が、データベース３０４に登録されているカメラ付ディジタル携帯電話機３１の電話番号と一致する（登録されている）か否かを認証する。認証開始制御信号に含まれるカメラ付ディジタル携帯電話機３１の電話番号がとうろくされていると認証された場合、設定装置１０１は、設定データ受信可能制御信号（設定装置１０１において設定データの受信が可能であることを示す制御信号）を生成し、接続部を介してカメラ付ディジタル携帯電話機３１に送信する。
【０２２４】
ステップＳ３３３において設定データ受信可能制御信号を受信したカメラ付ディジタル携帯電話機３１はステップＳ３３４で、設定データ送信開始メッセージ（図３１を参照して後述する）を表示する。ユーザは、表示された設定データ送信開始メッセージに基づいて設定データの送信を指示する。ステップＳ３３５において、カメラ付ディジタル携帯電話機３１は、設定データ（図２２のステップＳ２６９の処理によりカメラ付ディジタル携帯電話機３１において記憶された設定データ）を読み出す。
【０２２５】
ステップＳ３３６において、カメラ付ディジタル携帯電話機３１は、読み出された設定データを接続部を介して設定装置１０１に送信する。ステップＳ３６４において、設定装置１０１は、接続部を介してカメラ付ディジタル携帯電話機３１から設定データを受信する。
【０２２６】
ステップＳ３３７において、カメラ付ディジタル携帯電話機３１は、設定データ送信完了制御信号（カメラ付ディジタル携帯電話機３１からの設定データの送信が完了したことを示す制御信号）を生成し、接続部を介して設定装置１０１に送信する。ステップＳ３６５において設定データ送信完了制御信号を受信した設定装置１０１は、ステップＳ３６６で受信した設定データを記憶する（すでに設定データが記憶されている場合、その設定データを更新する）。ステップＳ３６７において、設定装置１０１は、設定データ受信完了メッセージ（図３５を参照して後述する）を表示する。
【０２２７】
このようにして、図２のカメラ付ディジタル携帯電話機３１から送信された設定データが設定装置１０１により受信され、登録される。
【０２２８】
図２９のフローチャートを参照して、カメラ付ディジタル携帯電話機３１における設定データ送信処理（図２８のステップＳ３３１乃至Ｓ３３７の処理）について説明する。なお、この設定データ送信処理は、ユーザにより自動車１１のホルダ５６にカメラ付ディジタル携帯電話機３１を装着された（接続された）ときに開始される。
【０２２９】
ステップＳ４０１において、カメラ付ディジタル携帯電話機３１の主制御部２５０は、ＬＣＤ制御部２５５を制御して、図３０に示されるような認証開始メッセージ７８１を液晶ディスプレイ２１８に表示させる。
【０２３０】
図３０の認証開始メッセージ７８１は、メッセージ表示欄７９１、並びにコマンドを表示するコマンド表示欄７９２とコマンド表示欄７９３を有する。
【０２３１】
図３０の例の場合、メッセージ表示欄７９１には、メッセージとして「認証を開始しますか？」が表示されている。これにより、ユーザは、これ以降の処理により、カメラ付ディジタル携帯電話機３１と設定装置１０１の間における認証を開始することができることが分かる。
【０２３２】
コマンド表示欄７９２とコマンド表示欄７９３は、それぞれ、「Ｙｅｓ」と「Ｎｏ」というアイコンを表示している。ユーザは、操作キー２１９やジョグダイヤル２２２を操作することによりコマンド表示欄７９３の「Ｎｏ」のコマンドのアイコンを選択し、認証の開始をキャンセルすることができる。また、ユーザは、操作キー２１９やジョグダイヤル２２２を操作することにより、コマンド表示欄７９２の「Ｙｅｓ」のコマンドのアイコンを選択し、認証の開始を指令することができる。
【０２３３】
ステップＳ４０２で、主制御部２５０は、ユーザにより認証の開始が指示がされたか否かを判定する。ユーザが操作キー２１９やジョグダイヤル２２２を操作することによりコマンド表示欄７９３の「Ｎｏ」のコマンドのアイコンを選択した場合、ステップＳ４０２で、主制御部２５０は認証開始が指示されないと判定し、認証の開始がキャンセルし、設定データ送信処理を終了する。
【０２３４】
ユーザが操作キー２１９やジョグダイヤル２２２を操作することによりコマンド表示欄７９２の「Ｙｅｓ」のコマンドのアイコンを選択した場合、ステップＳ４０２で認証の開始が指令されたと判定される。このとき、ステップＳ４０３において主制御部２５０は、記憶部２６４からカメラ付ディジタル携帯電話機３１の電話番号をユーザＩＤとして読み出す。
【０２３５】
ステップＳ４０４において、主制御部２５０は、読み出されたカメラ付ディジタル携帯電話機３１の電話番号（例えば、「０９０７２３９８１１９」などのようなカメラ付ディジタル携帯電話機３１の固有の電話番号）のデータが含まれる認証開始制御信号（カメラ付ディジタル携帯電話機３１と設定装置１０１との間におけるユーザ認証の開始を示す制御信号）を生成し、変復調回路部２５８に供給する。変復調回路部２５８は、主制御部２５０から供給された認証開始制御信号をスペクトラム拡散処理し、送受信回路部２６２に供給する。送受信回路部２６２は、変復調回路部２５８から供給された認証開始制御信号にディジタルアナログ変換処理及び周波数変換処理を施した後に接続部を介して設定装置１０１に送信する。
【０２３６】
ステップＳ４０５において、主制御部２５０は、接続部を介して設定装置１０１から送受信回路部２６２が設定データ受信可能制御信号（図３４のステップＳ４５３の処理により設定装置１０１において生成される制御信号）を受信したか否かを判定する。ステップＳ４０５において設定装置１０１から設定データ受信可能制御信号を受信しなかったと判定された場合、処理は設定装置から設定データ受信可能制御信号を受信するまで待機する。
【０２３７】
ステップＳ４０５において設定装置１０１から設定データ受信可能制御信号を受信したと判定された場合、主制御部２５０は、ＬＣＤ制御部２５５を制御して、図３１に示されるような設定データ送信開始メッセージ８０１を液晶ディスプレイ２１８に表示させる。
【０２３８】
図３１の設定データ送信開始メッセージ８０１は、メッセージ表示欄８１１およびコマンドを表示するコマンド表示欄８１２を有する。
【０２３９】
図３１の例の場合、メッセージ表示欄８１１には、メッセージとして「設定データの送信を開始します」が表示されている。これにより、ユーザは、これ以降の処理により、カメラ付ディジタル携帯電話機３１から設定装置１０１への設定データの送信を開始することができることが分かる。
【０２４０】
また、コマンド表示欄８１２は、「ＯＫ」というコマンドのアイコンを表示している。ユーザは、コマンド表示欄８１２の「ＯＫ」のコマンドのアイコンを選択することにより、設定データの送信の開始を指示することができる。
【０２４１】
主制御部２５０は、ステップＳ４０６で、設定データの送信が指示されたか否かを判定する。ユーザがコマンド表示欄８１２の「ＯＫ」のコマンドのアイコンを選択しなかった場合、主制御部２５０はステップＳ４０７で、設定データを送信するとの指示がされなかったと判定し、処理はユーザがコマンド表示欄８１２の「ＯＫ」のコマンドのアイコンを選択するまで待機する。
【０２４２】
ユーザがコマンド表示欄８１２の「ＯＫ」のコマンドのアイコンを選択した場合、主制御部２５０はステップＳ４０７で、設定データを送信するとの指示がされたと判定し、記憶部２６４から設定データ（図２２のステップＳ２６９の処理によりカメラ付ディジタル携帯電話機３１において記憶された設定データ）を読み出し、変復調回路部２５８に供給する。変復調回路部２５８は、主制御部２５０から供給された設定データをスペクトラム拡散処理し、送受信回路部２６２に供給する。
【０２４３】
ステップＳ４０９において、送受信回路部２６２は、変復調回路部２５８から供給された設定データにディジタルアナログ変換処理及び周波数変換処理を施した後に接続部を介して設定装置１０１に設定データの送信を開始する。
【０２４４】
ステップＳ４１０において、主制御部２５０は、送受信回路部２６２が設定データの送信を完了したか否かを判定する。ステップＳ４１０において設定データの送信がまだ完了していないと判定された場合、処理は設定データの送信を完了するまで待機する。
【０２４５】
ステップＳ４１０において設定データの送信を完了したと判定された場合、主制御部２５０は、設定データ送信完了制御信号（カメラ付ディジタル携帯電話機３１からの設定データの送信が完了したことを示す制御信号）を生成し、変復調回路部２５８に供給する。変復調回路部２５８は、主制御部２５０から供給された設定データ送信完了制御信号をスペクトラム拡散処理し、送受信回路部２６２に供給する。
【０２４６】
ステップＳ４１１において、送受信回路部２６２は、変復調回路部２５８から供給された設定データ送信完了制御信号にディジタルアナログ変換処理及び周波数変換処理を施した後に接続部を介して設定装置１０１に送信する。
【０２４７】
ステップＳ４１２において、主制御部２５０は、ＬＣＤ制御部２５５を制御して、図３２に示されるような設定データ送信完了メッセージ８４１を液晶ディスプレイ２１８に表示させる。
【０２４８】
図３２の設定データ送信完了メッセージ８４１は、メッセージ表示欄８５１およびコマンドを表示するコマンド表示欄８５２を有する。
【０２４９】
図３２の例の場合、メッセージ表示欄８５１には、メッセージとして「設定データの送信が完了しました」が表示されている。これにより、ユーザは、設定装置１０１への設定データの送信が完了したことが分かる。
【０２５０】
また、コマンド表示欄８５２は、「ＯＫ」というコマンドのアイコンを表示している。ユーザは、コマンド表示欄８５２の「ＯＫ」のコマンドのアイコンを選択することにより、設定データの送信の完了を指示することができる。
【０２５１】
ユーザがコマンド表示欄８５２の「ＯＫ」のコマンドのアイコンを選択した場合、設定データ送信処理は終了する。
【０２５２】
一方、ステップＳ４０５において設定装置１０１から設定データ受信可能制御信号（図３４のステップＳ４５３の処理により設定装置１０１において生成される制御信号）を受信しなかったと判定された場合、すなわち、設定装置１０１から設定データ受信不可能制御信号（図３４のステップＳ４５８の処理により設定装置１０１において生成される、設定装置１０１において設定データの受信が不可能であることを示す制御信号）を受信した場合、主制御部２５０は、ＬＣＤ制御部２５５を制御して、図３３に示されるような設定データ送信不可能メッセージ８７１を液晶ディスプレイ２１８に表示させる。
【０２５３】
図３３の設定データ送信不可能メッセージ８７１は、メッセージ表示欄８８１およびコマンドを表示するコマンド表示欄８８２を有する。
【０２５４】
図３３の例の場合、メッセージ表示欄８８１には、メッセージとして「設定データを送信することができません」が表示されている。これにより、ユーザは、これ以降の処理により設定装置１０１へ設定データを送信することができないことが分かる。
【０２５５】
また、コマンド表示欄８８２は、「戻る」というコマンドのアイコンを表示している。ユーザは、コマンド表示欄８８２の「戻る」のコマンドのアイコンを選択することにより、設定装置１０１への設定データの送信をキャンセルすることができる。
【０２５６】
ユーザがコマンド表示欄８８２の「戻る」のコマンドのアイコンを選択した場合、設定データ送信処理はキャンセルされ、設定データ送信処理は終了する。
【０２５７】
次に、図３４のフローチャートを参照して、図２９の設定データ送信処理に対応する、設定装置１０１における設定データ受信処理（図２８のステップＳ３６１乃至Ｓ３６７の処理）について説明する。
【０２５８】
ステップＳ４５１において、設定装置１０１の制御部１３２は、接続部を介してカメラ付ディジタル携帯電話機３１から設定装置１０１の送受信部１３１が認証開始制御信号（図２９のステップＳ４０４の処理によりカメラ付ディジタル携帯電話機３１において生成された制御信号）を受信したか否かを判定する。上述したように、この認証開始制御信号には、カメラ付ディジタル携帯電話機３１に電話番号（例えば、「０９０７２３９８１１９」などのようなカメラ付ディジタル携帯電話機３１の固有の電話番号）のデータが含まれている。
【０２５９】
ステップＳ４５１においてカメラ付ディジタル携帯電話機３１から認証開始制御信号を受信していないと判定された場合、処理はカメラ付ディジタル携帯電話機３１から認証開始制御信号を受信するまで待機する。
【０２６０】
ステップＳ４５１においてカメラ付ディジタル携帯電話機３１から認証開始制御信号を受信したと判定された場合、制御部１３２はステップＳ４５２で、受信した認証開始制御信号に含まれるカメラ付ディジタル携帯電話機３１の電話番号（例えば、「０９０７２３９８１１９」などのようなカメラ付ディジタル携帯電話機３１の固有の電話番号）が、記憶部１３３に登録されているカメラ付ディジタル携帯電話機３１の電話番号（例えば、ユーザにより予め記憶された、「０９０７２３９８１１９」などのようなカメラ付ディジタル携帯電話機３１の固有の電話番号）と一致する（登録されている）か否かを認証部１３３に認証させる。
【０２６１】
ステップＳ４５２において認証開始制御信号に含まれるカメラ付ディジタル携帯電話機３１の電話番号が登録されていると認証された場合、制御部１３２はステップＳ４５３で、設定データ受信可能制御信号（設定装置１０１への設定データの受信が可能であることを示す制御信号）を生成し、送受信部１３１に供給する。送受信部１３１は、制御部１３２から供給された設定データ受信可能制御信号を接続部を介してカメラ付ディジタル携帯電話機３１に送信する。
【０２６２】
ステップ４５４において、送受信部１３１は、接続部を介してカメラ付ディジタル携帯電話機３１から設定データを受信する。
【０２６３】
ステップＳ４５５において、主制御部２５０は、接続部を介してカメラ付ディジタル携帯電話機３１から送受信部１３１が設定データ送信完了制御信号（図２９のステップＳ４１１の処理によりカメラ付ディジタル携帯電話機３１において生成された制御信号）を受信したか否かを判定する。ステップＳ４５５においてカメラ付ディジタル携帯電話機３１から設定データ送信完了制御信号を受信しなかったと判定された場合、処理はカメラ付ディジタル携帯電話機３１から設定データ送信完了制御信号を受信するまで待機する。
【０２６４】
ステップＳ４５５においてカメラ付ディジタル携帯電話機３１から設定データ送信完了制御信号を受信したと判定された場合、制御部１３２はステップＳ４５６で、記憶部１３４に受信した設定データを記憶させる（すでに設定データが記憶されている場合、その設定データを更新する）。ステップＳ４５７において、制御部１３２は、設定装置１０１のＬＣＤ制御部１３５を制御し、図３５に示されるような設定データ受信完了メッセージ９１１を液晶ディスプレイ５２に表示させる。
【０２６５】
図３５の設定データ受信完了メッセージ９１１は、メッセージ表示欄９２１およびコマンドを表示するコマンド表示欄９２２を有する。
【０２６６】
図３５の例の場合、メッセージ表示欄９２１には、メッセージとして「設定データの受信が完了しました」が表示されている。これにより、ユーザは、カメラ付ディジタル携帯電話機３１からの設定データの受信が完了したことが分かる。
【０２６７】
また、コマンド表示欄９２２は、「ＯＫ」というコマンドのアイコンを表示している。ユーザは、コマンド表示欄９２２の「ＯＫ」のコマンドのアイコンを選択することにより、カメラ付ディジタル携帯電話機３１からの設定データの受信の完了を指示することができる。
【０２６８】
ユーザがコマンド表示欄９２２の「ＯＫ」のコマンドのアイコンを選択した場合、設定データ受信処理は終了する。
【０２６９】
ステップＳ４５２において認証開始制御信号に含まれるカメラ付ディジタル携帯電話機３１の電話番号が登録されていないと認証された場合、制御部１３２はステップＳ４５８で、設定データ受信不可能制御信号（設定装置１０１における設定データの受信が不可能であることを示す制御信号）を生成し、送受信部１３１に供給する。送受信部１３１は、制御部１３２から供給された設定データ受信不可能制御信号を接続部を介してカメラ付ディジタル携帯電話機３１に送信する。
【０２７０】
以上のようにして、ユーザは、カメラ付ディジタル携帯電話機３１をホルダ５６に装着するという簡単な操作をするだけで、自動車１１の各部分の設定データ（図２０）を設定装置１０１に自動的に転送し、設定させることができる。このとき、認証に電話番号が使用されるので、ユーザは、ユーザＩＤを入力する必要がなく、簡単かつ迅速に、設定データの設定を完了させることができる。その結果、自動車１１を、直ちに所望の状態に設定することができる。
【０２７１】
なお、本発明の実施の形態においては、カメラ付ディジタル携帯電話機３１と設定装置１０１との間における送受信は、ホルダ５６に備えられた接続部を介して行うようにしたが、例えば、アダプタを用いた種々の有線接続を介して行うようにしてもよいし、Ｂｌｕｅｔｏｏｔｈなどを用いた無線接続を介して行うようにしてもよい。
【０２７２】
以上のようにして、カメラ付ディジタル携帯電話機３１がホルダ５６に装着され、設定データが転送されてきたとき、設定装置１０１は、図３８の設定処理を実行する。
【０２７３】
ステップＳ５３１において、設定装置１０１の制御部１３２は、設定データ中のバネ定数、減衰特性、および車高の値をサスペンション制御部１０２に供給する。サスペンション制御部１０２は、設定装置１０１から供給されたサスペンション制御信号（値）に基づいて、バネ定数制御信号、減衰特性制御信号、および車高制御信号を生成し、サスペンション１０３に供給する。サスペンション１０３は、サスペンション制御部１０２から供給されたバネ定数制御信号、減衰特性制御信号、および車高制御信号に基づいて、サスペンション１０３の各部分の状態を設定する。これにより、図２０の第２行目の例の場合、「バネ定数」が「９．５」、「減衰特性」が「タイプＡ２」、および「車高」が「１０．０」になるように、サスペンション１０３が設定される。
【０２７４】
サスペンション制御部１０２は、サスペンション１０３の設定が終了したとき、サスペンション設定完了制御信号を生成し、設定装置１０１に供給する。制御部１３２は、ステップＳ５３２において、これを受信し、設定を確認する。
【０２７５】
ステップＳ５３３において、制御部１３２は、設定データの音の種類と音量の値をクラクション制御部１０４に供給する。クラクション制御部１０４は、設定装置１０１から供給されたクラクション制御信号（値）に基づいて、音種制御信号と音量制御信号を生成し、クラクション１０５に供給する。クラクション１０５は、クラクション制御部１０４から供給された音種制御信号と音量制御信号に基づいて、クラクション１０５の各部分の状態を設定する。これにより、図２０の第２行目の例の場合、「音の種類」が「タイプＢ３」および「音量」が「５．０」になるように、クラクション１０３が設定される。
【０２７６】
クラクション制御部１０４は、クラクション１０５の設定が終了したとき、クラクション設定完了制御信号を生成し、設定装置１０１に供給する。制御部１３２は、ステップＳ５３４において、これを受信し、設定を確認する。
【０２７７】
ステップＳ５３５において、制御部１３２は、設定データの温度、湿度、および風量の値を空調装置制御部１０６に供給する。空調装置制御部１０６は、設定装置１０１から供給された空調装置制御信号（値）に基づいて、温度制御信号、湿度制御信号、および風量制御信号を生成し、空調装置１０７に供給する。空調装置１０７は、空調装置制御部１０６から供給された温度制御信号、湿度制御信号、および風量制御信号に基づいて、空調装置１０７の各部分を設定する。これにより、図２０の第２行目の例の場合、「温度」が「７．０」、「湿度」が「９．０」、および「風量」が「７．５」になるように、空調装置１０４が設定される。
【０２７８】
空調装置制御部１０６は、空調装置１０７の設定が終了したとき、空調装置設定完了制御信号を生成し、設定装置１０１に供給する。制御部１３２は、ステップＳ５３６において、これを受信し、設定を確認する。
【０２７９】
このように、ユーザは、予め作成した設定データに基づいて自動車１１の設定の更新を行うことができる。これにより、自動車１１を複数のユーザにより共有していたとしても、ユーザは、自分自身のカメラ付ディジタル携帯電話機３１をホルダ５６に装着するだけで、予め作成しておいた設定データに基づいて、自分の嗜好に合うように自動車１１の状態を設定、更新することができる。また、ユーザは、自動車１１の設定データを１回作成しさえすれば、それ以降他の自動車に変更したとしても、作成された設定データに基づいて変更した他の自動車についてもユーザの嗜好に合った設定をすることができる。従って、自動車１１における操作性を向上させることができる。
【０２８０】
なお、ステップＳ５３１乃至Ｓ５３６の処理は、その順番を変更してもよいし、または並行して実行するようにしてもよい。
【０２８１】
なお、以上においては、自動車１１の各部分の状態を設定する設定データを更新情報として作成するようにしたが、ユーザの個人情報（例えば、自動車１１に乗車時にかける音楽、電話帳、アドレス帳、好みの店、スケジュール帳など）を設定データ（更新情報）として作成し、設定を更新するようにしてもよい。
【０２８２】
この場合、制御部１３２は、ＬＣＤ制御部１３５を制御して、図３７に示されるように、個人情報に関する設定データに基づく表示画面９８１を液晶ディスプレイ５２に表示させる。
【０２８３】
図３７の表示画面９８１は、表示欄９９１乃至表示欄９９４を有し、それぞれ、「電話帳」、「好みの店一覧表」、「アドレス帳」、および「スケジュール帳」が表示されている。
【０２８４】
これにより、自動車１１を複数のユーザにより共有していたとしても、ユーザは、自分自身のカメラ付ディジタル携帯電話機３１をホルダ５６に装着するだけで、予め作成しておいた設定データに基づいて、自分の個人情報を設定、更新することができる。
【０２８５】
また、以上においては、設定データ管理サーバ１６から設定データを受信するのにカメラ付ディジタル携帯電話機３１を用いるようにしたが、自動車１１に備え付けられ、かつ、設定データ管理サーバ１６と送受信することができさえすればよく、例えば、自動車１１に搭載されるＥＴＣ車載機などを用いてもよいし、自動車１１の設定装置１０１自体に備え付けられた送受信機を用いてもよい。また、設定データ管理サーバ１６から設定データを受信するとき、ＶＩＣＳ（Ｖｅｈｉｃｌｅ  Ｉｎｆｏｒｍａｔｉｏｎ  ａｎｄ  Ｃｏｍｍｕｎｉｃａｉｔｏｎ  Ｓｙｓｔｅｍ）やＡＴＩＳ（Ａｄｖａｎｃｅｄ  Ｔｒａｆｆｉｃ  Ｉｎｆｏｒｍａｔｉｏｎ
Ｓｅｒｖｉｃｅ）などの既存の通信システムを用いるようにしてもよい。
【０２８６】
設定データ管理サーバ１６においては、ユーザ１人に対し１つの更新情報を管理するようにしているが、ユーザ１人に対して複数の更新情報を管理するようにしてもよい。これにより、ユーザは、設定装置１０１により設定データに基づいて自動車１１の設定を更新するとき、複数の設定データ（例えば、３つの設定データ）のいずれか１つに基づいて自動車１１を選択的に設定することができる。
【０２８７】
また、以上においては、自動車の各部分の状態の設定について適用したが、種々の電子機器の状態の設定に適用するようにしてもよい。
【０２８８】
さらに、パーソナルコンピュータ１７と設定データ管理サーバとの間においては、ユーザにパスワードを入力させることによりユーザ認証を行い、カメラ付ディジタル携帯電話機３１と設定データ管理サーバ１６の間やカメラ付ディジタル携帯電話機３１と設定装置１０１の間においては、ユーザが所有するカメラ付ディジタル携帯電話機３１の電話番号によりユーザ認証するようにしているが、それぞれの間において正当なユーザであるか否かを認証することができさえすればよく、例えば、指紋認証などのバイオ認証などを用いるようにしてもよい。
【０２８９】
また、ＩＣカードを用いてユーザ認証を行うようにしてもよいし、予めＩＣカードなどに作成した設定データを書き込んでおき、ＩＣカードを設定装置１０１に直接装着することで、ＩＣカードから設定装置１０１に設定データを送信するようにしてもよい。
【０２９０】
図３８は、このような場合に用いられるＩＣカード１００１の内部の構成を表している。ＩＣカード１００１は、通信部１０１１、制御部１０１２、および記憶部１０１３により構成されている。
【０２９１】
通信部１０１１は、設定装置１０１に設けられているＩＣカードＲ／Ｗ部（図示せず）との通信を行う。通信部１３１は、ＩＣカードＲ／Ｗ部から送信されたデータを受信し、受信したデータが、例えば、ＡＳＫ（Ａｍｐｌｉｔｕｄｅ  Ｓｈｉｆｔ  Ｋｅｙｉｎｇ）やＢＰＳＫ（Ｂｉｎａｒｙ  Ｐｈａｓｅ  Ｓｈｉｆｔ  Ｋｅｙｉｎｇ）を用いて変調されている場合、その方式に基づいて、受信したデータを復調し、制御部１０１２に供給するとともに、制御部１０１２から供給されたデータを、ＡＳＫやＢＰＳＫの方式で変調し、ＩＣカードＲ／Ｗ部に送信する。
【０２９２】
制御部１０１２は、通信部１０１１から供給されたコマンドに従って各種の処理を制御し、必要に応じて、記憶部１０１３に記録されているデータ（設定データや電話番号を含む）を読み込んで、通信部１３１を介して、ＩＣカードＲ／Ｗ部に送信したり、逆に、送信されてきた設定データなどを書き込む。
【０２９３】
記憶部１０１３は、ＩＣカードの番号や設定データなどが記録されているメモリ領域を有する。
【０２９４】
ＩＣカードに予め設定データを書き込む場合、図２２の設定データ記憶処理により予め設定データが記憶されたカメラ付ディジタル携帯電話機３１に図示せぬＩＣカードＲ／Ｗ部のＵＳＢ（Ｕｎｉｖｅｒｓａｌ  Ｓｅｒｉａｌ  Ｂｕｓ）端子を接続することにより、ＩＣカード１００１に設定データをに記憶させることができる。なお、この場合、ＩＣカード１００１に記憶されている設定データがどのユーザの設定データであるかを識別することができるようにするために、図２２の設定データ記憶処理によりカメラ付ディジタル携帯電話機３１に予め図２０に示される第２列目の「電話番号」を記憶するようにして、ＩＣカード１００１に設定データとともに「電話番号」を記憶させる。
【０２９５】
ＩＣカードに書き込まれた設定データにより自動車１１の各部の設定の更新を行う場合、ユーザは、図２の設定装置１０１に備え付けられた図示せぬＩＣカードＲ／Ｗ部にＩＣカードを装着することにより、ＩＣカードに書き込まれた設定データを読み出し、設定装置１０１に記憶させる。
【０２９６】
図３８のフローチャートは、ＩＣカード１００１を設定装置１０１に装着した場合における設定装置１０１における他の設定データ受信処理を表している。なお、この処理は、ユーザが設定装置１０１に備え付けられた図示せぬＩＣカードＲ／Ｗ部にＩＣカード１００１を装着することにより開始される。
【０２９７】
ステップＳ６０１において、設定装置１０１の制御部１３２は、設定装置１０１のＩＣカードＲ／Ｗ部に、ＩＣカード１００１通信部１０１１により、ＩＣカード１００１に記録されているデータ（「電話番号」のデータ）を読み出させる。すなわち、ＩＣカードＲ／Ｗ部は、ＩＣカード１００１の通信部１０１１を介して、ＩＣカード１００１の制御部１０１２に読み出しの指示を送信する。ＩＣカード１００１の制御部１０１２は、この指示に基づいて、記憶部１０１３に記録されているデータ（「電話番号」のデータ）を読み出し、ＩＣカード１００１の通信部１０１１を介してＩＣカードＲ／Ｗ部に供給する。ステップＳ６０２において、設定装置１０１の制御部１３２は、ＩＣカードＲ／Ｗ部からデータ（「電話番号」のデータ）を取得する。
【０２９８】
ステップＳ６０３において、制御部１３２は、取得されたデータに含まれる「電話番号」が、記憶部１３４に記憶された電話番号（例えば、「０９０７２３９８１１９」などのようなカメラ付ディジタル携帯電話機３１の固有の電話番号）と一致するか否かを認証部１３３に認証させる。
【０２９９】
ステップＳ６０３において取得されたデータに含まれる「電話番号」が、記憶部１３４に記憶された電話番号（例えば、「０９０７２３９８１１９」などのようなカメラ付ディジタル携帯電話機３１の固有の電話番号）と一致すると認証された場合、制御部１３２はステップＳ６０４で、ＩＣカードＲ／Ｗ部に、ＩＣカード１００１の通信部１０１１を介して、記憶部１０１３に記録されている設定データを読み出させる。
【０３００】
ステップＳ６０５において、制御部１３２は、ＩＣカードＲ／Ｗ部から設定データを取得する。ステップＳ６０６において、制御部１３２は、取得された設定データを記憶部１３４に記憶させる。ステップＳ６０７において、制御部１３２は、ＬＣＤ制御部１３５を制御して、図４０に示されるような設定データ取得完了メッセージ１０５１を液晶ディスプレイ５２に表示させる。
【０３０１】
図３９の設定データ取得完了メッセージ１０５１は、メッセージ表示欄１０６１およびコマンドを表示するコマンド表示欄１０６２を有する。
【０３０２】
図３９の例の場合、メッセージ表示欄１０５１には、メッセージとして「設定データの取得が完了しました」が表示されている。これにより、ユーザは、ＩＣカード１００１からの設定データの取得が完了したことが分かる。
【０３０３】
また、コマンド表示欄１０６２は、「ＯＫ」というコマンドのアイコンを表示している。ユーザは、コマンド表示欄１０６２の「ＯＫ」のコマンドのアイコンを選択することにより、設定データの取得の完了を指示することができる。
【０３０４】
ユーザがコマンド表示欄１０６２の「ＯＫ」のコマンドのアイコンを選択した場合、設定データ受信処理は終了する。
【０３０５】
ステップＳ６０３において取得されたデータに含まれる「電話番号」が登録されているものと一致しなかったと認証された場合、制御部１３２はステップＳ６０８で、エラー処理を実行し、ステップＳ６０９で、ＬＣＤ制御部１３５を制御して、設定データ取得不可能メッセージ１１０１を液晶ディスプレイ５２に表示させる。
【０３０６】
図４１の設定データ取得不可能メッセージ１１０１は、メッセージ表示欄１１１１およびコマンドを表示するコマンド表示欄１１１２を有する。
【０３０７】
図４１の例の場合、メッセージ表示欄１１０１には、メッセージとして「設定データを取得することができません」が表示される。これにより、ユーザは、これ以降の処理により、ＩＣカード１００１から設定データを取得することができないことが分かる。
【０３０８】
また、コマンド表示欄１１１２は、「戻る」というコマンドのアイコンを表示している。ユーザは、コマンド表示欄１１１２の「戻る」のコマンドのアイコンを選択することにより、設定データの取得をキャンセルすることができる。
【０３０９】
ユーザがコマンド表示欄１１１２の「戻る」のコマンドのアイコンを選択した場合、設定データ受信処理はキャンセルされ、設定データ受信処理は終了する。
【０３１０】
以上のようにして、ユーザは、ＩＣカード１００１から予め作成した設定データを設定装置１０１に設定させることができる。
【０３１１】
その後、図３４と図３６を参照して説明した設定データ受信処理と設定処理が実行される。これにより、自動車１１の設定が更新される。
【０３１２】
上述した一連の処理は、それぞれの機能を有するハードウェアにより実行させることもできるし、ソフトウェアにより実行させることもできる。一連の処理をソフトウェアに実行させる場合には、そのソフトウェアを構成するプログラムが専用のハードウェアに組み込まれているコンピュータ、または、各種のプログラムをインストールすることで、各種の機能を実行することが可能な、例えば汎用のパーソナルコンピュータなどに、記録媒体からインストールされる。
【０３１３】
記録媒体は、図９に示されるように、パーソナルコンピュータとは別に、ユーザにプログラムを提供するために配布される、プログラムが記録されている磁気ディスク３７１（フロッピディスクを含む）、光ディスク３７２（ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ）を含む）、光磁気ディスク３７３（ＭＤ（Ｍｉｎｉ−Ｄｉｓｋ）を含む）、もしくは半導体メモリ３７４などよりなるパッケージメディア、または、プログラムが一時的もしくは永続的に格納されるＲＯＭ３５２や、記憶部３５８を構成するハードディスクなどにより構成される。プログラム格納媒体へのプログラムの格納は、必要に応じてルータ、モデムなどのインタフェースを介して、ローカルエリアネットワーク、インターネット、ディジタル衛星放送といった、有線または無線の通信媒体を利用して行われる。
【０３１４】
なお、本明細書において、プログラム格納媒体に格納されるプログラムを記述するステップは、記載された順序に沿って時系列的に行われる処理はもちろん、必ずしも時系列的に処理されなくとも、並列的あるいは個別に実行される処理をも含むものである。
【０３１５】
【発明の効果】
以上のように、本発明によれば、各ユーザに必要な更新情報を提供することができる。特に、他のユーザに対して秘匿性を保持しつつ、更新情報を提供することができる。これにより、操作性を向上させることができる。
【図面の簡単な説明】
【図１】本発明を適用したネットワークシステムの全体の構成を示す図である。
【図２】図１のＸ−Ｘ線における自動車の概略的な断面図を示す図である。
【図３】図１の自動車の内部の概略的な構成を示す図である。
【図４】図３の設定装置の内部の構成を示す図である。
【図５】図２のカメラ付ディジタル携帯電話機の外観の構成を示す斜視図である。
【図６】図２のカメラ部を回動したときの表示部の構成を示す斜視図である。
【図７】図２のカメラ付ディジタル携帯電話機の内部の構成を示すブロック図である。
【図８】図１の設定データ管理サーバの内部の構成を示すブロック図である。
【図９】図１のパーソナルコンピュータの内部の構成を示すブロック図である。
【図１０】図１のネットワークシステムにおける処理についての概略を説明するフローチャートである。
【図１１】図１のパーソナルコンピュータにおける設定データ作成処理を説明するフローチャートである。
【図１２】図１のパーソナルコンピュータの出力部に表示される認証開始メッセージの表示例を示す図である。
【図１３】図１のパーソナルコンピュータの出力部に表示されるパスワード入力ダイアログの表示例を示す図である。
【図１４】図１のパーソナルコンピュータの出力部に表示される設定データ作成開始メッセージの表示例を示す図である。
【図１５】図１のパーソナルコンピュータの出力部に表示される設定データ作成用画面の表示例を示す図である。
【図１６】図１のパーソナルコンピュータにおける設定データ取得処理を説明するフローチャートである。
【図１７】図１のパーソナルコンピュータの出力部に表示される設定データ受理メッセージの表示例を示す図である。
【図１８】図１のパーソナルコンピュータの出力部に表示される設定データ作成不可能メッセージの表示例を示す図である。
【図１９】図１の設定データ管理サーバにおける設定データ受理処理を説明するフローチャートである。
【図２０】図１の設定データ管理サーバにおいて管理されているデータベースの例を示す図である。
【図２１】図１のネットワークシステムにおける処理についての概略を説明するフローチャートである。
【図２２】図２のカメラ付ディジタル携帯電話機における設定データ記憶処理を説明するフローチャートである。
【図２３】図２のカメラ付ディジタル携帯電話機の液晶ディスプレイに表示される認証開始メッセージの表示例を示す図である。
【図２４】図２のカメラ付ディジタル携帯電話機の液晶ディスプレイに表示される設定データダウンロード開始メッセージの表示例を示す図である。
【図２５】図２のカメラ付ディジタル携帯電話機の液晶ディスプレイに表示される設定データダウンロード完了メッセージの表示例を示す図である。
【図２６】図２のカメラ付ディジタル携帯電話機の液晶ディスプレイに表示される設定データダウンロード不可能メッセージの表示例を示す図である。
【図２７】図１の設定データ管理サーバにおける設定データ配信処理を説明するフローチャートである。
【図２８】図１のネットワークシステムにおける処理についての概略を説明するフローチャートである。
【図２９】図２のカメラ付ディジタル携帯電話機における設定データ送信処理を説明するフローチャートである。
【図３０】図２のカメラ付ディジタル携帯電話機の液晶ディスプレイに表示される認証開始メッセージの表示例を示す図である。
【図３１】図２のカメラ付ディジタル携帯電話機の液晶ディスプレイに表示される設定データ送信開始メッセージの表示例を示す図である。
【図３２】図２のカメラ付ディジタル携帯電話機の液晶ディスプレイに表示される設定データダウンロード完了メッセージの表示例を示す図である。
【図３３】図２のカメラ付ディジタル携帯電話機の液晶ディスプレイに表示される設定データダウンロード不可能メッセージの表示例を示す図である。
【図３４】図３の設定装置における設定データ受信処理を説明するフローチャートである。
【図３５】図３の設定装置の液晶ディスプレイに表示される設定データ受信完了メッセージの表示例を示す図である。
【図３６】図２の自動車における設定処理を説明するフローチャートである。
【図３７】図３の設定装置の液晶ディスプレイに表示される個人情報の表示例を示す図である。
【図３８】設定装置に装着されるＩＣカードの内部の構成を示すブロック図である。
【図３９】図３の設定装置における他の設定データ受信処理を説明するフローチャートである。
【図４０】図３の設定装置の液晶ディスプレイに表示される設定データ取得完了メッセージの表示例を示す図である。
【図４１】図３の設定装置の液晶ディスプレイに表示される設定データ取得不可能メッセージの表示例を示す図である。
【符号の説明】
１  ネットワークシステム，  １１  自動車，  １２−１乃至１２−４  基地局，  １３  公衆回線網，  １４  アクセスサーバ，  １５  ネットワーク，  １６  設定データ管理サーバ，  １７  パーソナルコンピュータ，  ３１  カメラ付ディジタル携帯電話機，  ５１  操作部，  ５２  液晶ディスプレイ，  ５３  操作入出力部，  ５６  ホルダ，  １０１  設定装置，  １０２  サスペンション制御部，  １０３  サスペンション，  １０４  クラクション制御部，  １０５  クラクション，  １０６  空調装置制御部，  １０７  空調装置，  １３１  送受信部，  １３２  制御部，  １３３  認証部，  １３４  記憶部，  １３５  ＬＣＤ制御部，  ２５０  主制御部，  ２６４  記憶部，  ２１８  液晶ディスプレイ，  ３０１  送受信部，  ３０２  制御部，  ３０３  記憶部，  ３０４  データベース，  ３５１  ＣＰＵ，  ３５６  入力部，  ３５７  出力部，  ３５８  記憶部，  ３５９  通信部
【図１】
2004280310.tif 000003
【図２】
2004280310.tif 000004
【図３】
2004280310.tif 000005
【図４】
2004280310.tif 000006
【図５】
2004280310.tif 000007
【図６】
2004280310.tif 000008
【図７】
2004280310.tif 000009
【図８】
2004280310.tif 000010
【図９】
2004280310.tif 000011
【図１０】
2004280310.tif 000012
【図１１】
2004280310.tif 000013
【図１２】
2004280310.tif 000014
【図１３】
2004280310.tif 000015
【図１４】
2004280310.tif 000016
【図１５】
2004280310.tif 000017
【図１６】
2004280310.tif 000018
【図１７】
2004280310.tif 000019
【図１８】
2004280310.tif 000020
【図１９】
2004280310.tif 000021
【図２０】
2004280310.tif 000022
【図２１】
2004280310.tif 000023
【図２２】
2004280310.tif 000024
【図２３】
2004280310.tif 000025
【図２４】
2004280310.tif 000026
【図２５】
2004280310.tif 000027
【図２６】
2004280310.tif 000028
【図２７】
2004280310.tif 000029
【図２８】
2004280310.tif 000030
【図２９】
2004280310.tif 000031
【図３０】
2004280310.tif 000032
【図３１】
2004280310.tif 000033
【図３２】
2004280310.tif 000034
【図３３】
2004280310.tif 000035
【図３４】
2004280310.tif 000036
【図３５】
2004280310.tif 000037
【図３６】
2004280310.tif 000038
【図３７】
2004280310.tif 000039
【図３８】
2004280310.tif 000040
【図３９】
2004280310.tif 000041
【図４０】
2004280310.tif 000042
【図４１】
2004280310.tif 000043